(57)【要約】  端末装置であって、ＲＮＴＩをともなうＰＤＣＣＨをモニタするサブフレームを示す情報を含む、セルのグループに対する情報を受信し、セルのグループにおける複数のセルのそれぞれに対するＵＬ−ＤＬ設定を示す情報のインデックスを決定するための情報を含む、セルのグループにおける複数のセルのそれぞれに対する情報を受信し、セルのグループのうちの１つのセルのコモンサーチスペースにおいて、ＲＮＴＩをともなうＰＤＣＣＨをモニタし、セルのグループにおける複数のセルのそれぞれに対するＵＬ−ＤＬ設定を示す情報は、ＲＮＴＩをともなうＰＤＣＣＨで送信され、１つのセルがＴＤＤセルである場合、ＲＲＣメッセージに基づくＵＬ−ＤＬ設定に基づくＤＬサブフレームが、ＲＮＴＩをともなうＰＤＣＣＨのモニタのために設定される。
2015079972.tif 000002
【特許請求の範囲】
【請求項１】
ＲＮＴＩ（Radio Network Temporary Identifier）を示す情報、前記ＲＮＴＩをともなう物理下りリンク制御チャネルをモニタするための周期Ｔを示す情報、および、前記周期Ｔ内において前記ＲＮＴＩをともなう物理下りリンク制御チャネルをモニタするサブフレームを示す情報を含む、セルのグループに対する情報を受信し、
前記セルのグループにおける複数のセルのそれぞれに対する上りリンク−下りリンク設定を示す情報のインデックスを決定するための情報を含む、前記セルのグループにおける複数のセルのそれぞれに対する情報を受信し、
前記ＲＮＴＩをともなう物理下りリンク制御チャネルをモニタするサブフレームにおける、前記セルのグループのうちの１つのセルのコモンサーチスペースにおいて、前記ＲＮＴＩをともなう物理下りリンク制御チャネルをモニタする受信部と、を備え、
前記セルのグループにおける複数のセルのそれぞれに対する上りリンク−下りリンク設定を示す情報は、前記ＲＮＴＩをともなう物理下りリンク制御チャネルで送信され、
前記１つのセルがＴＤＤ（Time Division Duplex）のセルである場合、ＲＲＣ（Radio Resource Control）メッセージに基づく上りリンク−下りリンク設定によって下りリンクサブフレームとして指示されたサブフレームが、前記ＲＮＴＩをともなう物理下りリンク制御チャネルのモニタのために設定される
端末装置。
【請求項２】
前記１つのセルがＦＤＤ（Frequency Division Duplex）のセルである場合、任意のサブフレームが、前記ＲＮＴＩをともなう物理下りリンク制御チャネルをモニタのために設定される
請求項１の端末装置。
【請求項３】
前記受信部は、前記１つのセルのセルインデックスを示す情報を受信する
請求項１または２の端末装置。
【請求項４】
無線フレーム｛m・T/10, m・T/10+1,...,(m+1)・T/10-1｝において前記ＲＮＴＩをともなう物理下りリンク制御チャネルが検出された場合、前記複数のセルのそれぞれにおける無線フレーム｛(m+1)・T/10, (m+1)・T/10+1,...,(m+2)・T/10-1｝に対する上りリンク−下りリンク設定は、前記複数のセルのそれぞれに対する上りリンク−下りリンク設定を示す情報によって与えられる
請求項１から３の何れかの端末装置。
【請求項５】
前記無線フレーム｛(m+1)・T/10, (m+1)・T/10+1,...,(m+2)・T/10-1｝に対する上りリンク−下りリンク設定は、１つのセルにおけるＰＤＳＣＨのスケジューリングのために用いられるフォーマットの下りリンク制御情報をともなう物理下りリンク制御チャネルのモニタのために用いられる
請求項４の端末装置。
【請求項６】
前記周期Ｔは２０ミリ秒、４０ミリ秒、または、８０ミリ秒である
請求項４または５の端末装置。
【請求項７】
端末装置に用いられる通信方法であって、
ＲＮＴＩ（Radio Network Temporary Identifier）を示す情報、前記ＲＮＴＩをともなう物理下りリンク制御チャネルをモニタするための周期Ｔを示す情報、および、前記周期Ｔ内において前記ＲＮＴＩをともなう物理下りリンク制御チャネルをモニタするサブフレームを示す情報を含む、セルのグループに対する情報を受信し、
前記セルのグループにおける複数のセルのそれぞれに対する上りリンク−下りリンク設定を示す情報のインデックスを決定するための情報を含む、前記セルのグループにおける複数のセルのそれぞれに対する情報を受信し、
前記ＲＮＴＩをともなう物理下りリンク制御チャネルをモニタするサブフレームにおける、前記セルのグループのうちの１つのセルのコモンサーチスペースにおいて、前記ＲＮＴＩをともなう物理下りリンク制御チャネルをモニタし、
前記セルのグループにおける複数のセルのそれぞれに対する上りリンク−下りリンク設定を示す情報は、前記ＲＮＴＩをともなう物理下りリンク制御チャネルで送信され、
前記１つのセルがＴＤＤ（Time Division Duplex）のセルである場合、ＲＲＣ（Radio Resource Control）メッセージに基づく上りリンク−下りリンク設定によって下りリンクサブフレームとして指示されたサブフレームが、前記ＲＮＴＩをともなう物理下りリンク制御チャネルのモニタのために設定される
通信方法。
【請求項８】
端末装置に実装される集積回路であって、
ＲＮＴＩ（Radio Network Temporary Identifier）を示す情報、前記ＲＮＴＩをともなう物理下りリンク制御チャネルをモニタするための周期Ｔを示す情報、および、前記周期Ｔ内において前記ＲＮＴＩをともなう物理下りリンク制御チャネルをモニタするサブフレームを示す情報を含む、セルのグループに対する情報を受信する機能と、
前記セルのグループにおける複数のセルのそれぞれに対する上りリンク−下りリンク設定を示す情報のインデックスを決定するための情報を含む、前記セルのグループにおける複数のセルのそれぞれに対する情報を受信する機能と、
前記ＲＮＴＩをともなう物理下りリンク制御チャネルをモニタするサブフレームにおける、前記セルのグループのうちの１つのセルのコモンサーチスペースにおいて、前記ＲＮＴＩをともなう物理下りリンク制御チャネルをモニタする機能と、を含む一連の機能を前記端末装置に発揮させ、
前記セルのグループにおける複数のセルのそれぞれに対する上りリンク−下りリンク設定を示す情報は、前記ＲＮＴＩをともなう物理下りリンク制御チャネルで送信され、
前記１つのセルがＴＤＤ（Time Division Duplex）のセルである場合、ＲＲＣ（Radio Resource Control）メッセージに基づく上りリンク−下りリンク設定によって下りリンクサブフレームとして指示されたサブフレームが、前記ＲＮＴＩをともなう物理下りリンク制御チャネルのモニタのために設定される
集積回路。
【請求項９】
ＲＮＴＩ（Radio Network Temporary Identifier）を示す情報、前記ＲＮＴＩをともなう物理下りリンク制御チャネルをモニタするための周期Ｔを示す情報、および、前記周期Ｔ内において前記ＲＮＴＩをともなう物理下りリンク制御チャネルをモニタするサブフレームを示す情報を含む、セルのグループに対する情報を送信し、
前記セルのグループにおける複数のセルのそれぞれに対する上りリンク−下りリンク設定を示す情報のインデックスを決定するための情報を含む、前記セルのグループにおける複数のセルのそれぞれに対する情報を送信する送信部を備え、
前記ＲＮＴＩをともなう物理下りリンク制御チャネルをモニタするサブフレームにおける、前記セルのグループのうちの１つのセルのコモンサーチスペースにおいて、前記ＲＮＴＩをともなう物理下りリンク制御チャネルがモニタされ、
前記セルのグループにおける複数のセルのそれぞれに対する上りリンク−下りリンク設定を示す情報は、前記ＲＮＴＩをともなう物理下りリンク制御チャネルで送信され、
前記１つのセルがＴＤＤ（Time Division Duplex）のセルである場合、ＲＲＣ（Radio Resource Control）メッセージに基づく上りリンク−下りリンク設定によって下りリンクサブフレームとして指示されたサブフレームが、前記ＲＮＴＩをともなう物理下りリンク制御チャネルのモニタのために設定される
基地局装置。
【請求項１０】
前記１つのセルがＦＤＤ（Frequency Division Duplex）のセルである場合、任意のサブフレームが、前記ＲＮＴＩをともなう物理下りリンク制御チャネルをモニタのために設定される
請求項９の基地局装置。
【請求項１１】
前記送信部は、前記１つのセルのセルインデックスを示す情報を送信する
請求項９または１０の基地局装置。
【請求項１２】
無線フレーム｛m・T/10, m・T/10+1,...,(m+1)・T/10-1｝において前記ＲＮＴＩをともなう物理下りリンク制御チャネルが検出された場合、前記複数のセルのそれぞれにおける無線フレーム｛(m+1)・T/10, (m+1)・T/10+1,...,(m+2)・T/10-1｝に対する上りリンク−下りリンク設定は、前記複数のセルのそれぞれに対する上りリンク−下りリンク設定を示す情報によって与えられる
請求項９から１１の何れかの基地局装置。
【請求項１３】
前記無線フレーム｛(m+1)・T/10, (m+1)・T/10+1,...,(m+2)・T/10-1｝に対する上りリンク−下りリンク設定は、１つのセルにおけるＰＤＳＣＨのスケジューリングのために用いられるフォーマットの下りリンク制御情報をともなう物理下りリンク制御チャネルのモニタのために用いられる
請求項１２の基地局装置。
【請求項１４】
前記周期Ｔは２０ミリ秒、４０ミリ秒、または、８０ミリ秒である
請求項１２または１３の基地局装置。
【請求項１５】
基地局装置に用いられる通信方法であって、
ＲＮＴＩ（Radio Network Temporary Identifier）を示す情報、前記ＲＮＴＩをともなう物理下りリンク制御チャネルをモニタするための周期Ｔを示す情報、および、前記周期Ｔ内において前記ＲＮＴＩをともなう物理下りリンク制御チャネルをモニタするサブフレームを示す情報を含む、セルのグループに対する情報を送信し、
前記セルのグループにおける複数のセルのそれぞれに対する上りリンク−下りリンク設定を示す情報のインデックスを決定するための情報を含む、前記セルのグループにおける複数のセルのそれぞれに対する情報を送信し、
前記ＲＮＴＩをともなう物理下りリンク制御チャネルをモニタするサブフレームにおける、前記セルのグループのうちの１つのセルのコモンサーチスペースにおいて、前記ＲＮＴＩをともなう物理下りリンク制御チャネルがモニタされ、
前記セルのグループにおける複数のセルのそれぞれに対する上りリンク−下りリンク設定を示す情報は、前記ＲＮＴＩをともなう物理下りリンク制御チャネルで送信され、
前記１つのセルがＴＤＤ（Time Division Duplex）のセルである場合、ＲＲＣ（Radio Resource Control）メッセージに基づく上りリンク−下りリンク設定によって下りリンクサブフレームとして指示されたサブフレームが、前記ＲＮＴＩをともなう物理下りリンク制御チャネルのモニタのために設定される
通信方法。
【請求項１６】
基地局装置に実装される集積回路であって、
ＲＮＴＩ（Radio Network Temporary Identifier）を示す情報、前記ＲＮＴＩをともなう物理下りリンク制御チャネルをモニタするための周期Ｔを示す情報、および、前記周期Ｔ内において前記ＲＮＴＩをともなう物理下りリンク制御チャネルをモニタするサブフレームを示す情報を含む、セルのグループに対する情報を送信する機能と、
前記セルのグループにおける複数のセルのそれぞれに対する上りリンク−下りリンク設定を示す情報のインデックスを決定するための情報を含む、前記セルのグループにおける複数のセルのそれぞれに対する情報を送信する機能と、を含む一連の機能を前記基地局装置に発揮させ、
前記ＲＮＴＩをともなう物理下りリンク制御チャネルをモニタするサブフレームにおける、前記セルのグループのうちの１つのセルのコモンサーチスペースにおいて、前記ＲＮＴＩをともなう物理下りリンク制御チャネルがモニタされ、
前記セルのグループにおける複数のセルのそれぞれに対する上りリンク−下りリンク設定を示す情報は、前記ＲＮＴＩをともなう物理下りリンク制御チャネルで送信され、
前記１つのセルがＴＤＤ（Time Division Duplex）のセルである場合、ＲＲＣ（Radio Resource Control）メッセージに基づく上りリンク−下りリンク設定によって下りリンクサブフレームとして指示されたサブフレームが、前記ＲＮＴＩをともなう物理下りリンク制御チャネルのモニタのために設定される
集積回路。
【発明の詳細な説明】
【技術分野】
【０００１】
本発明は、端末装置、基地局装置、集積回路、および、通信方法に関する。
本願は、２０１３年１１月２９日に、日本に出願された特願２０１３−２４７０１３号に基づき優先権を主張し、その内容をここに援用する。
【背景技術】
【０００２】
セルラー移動通信の無線アクセス方式および無線ネットワーク（以下、「Long Term Evolution （LTE）」、または、「Evolved Universal Terrestrial Radio Access : EUTRA」と称する。）が、第三世代パートナーシッププロジェクト（3rd Generation Partnership Project: 3GPP）において検討されている。ＬＴＥでは、基地局装置をｅＮｏｄｅＢ（evolved NodeB）、端末装置をＵＥ（User Equipment）とも称する。ＬＴＥは、基地局装置がカバーするエリアをセル状に複数配置するセルラー通信システムである。単一の基地局装置は複数のセルを管理してもよい。【０００３】
ＬＴＥは、時分割複信（Time Division Duplex: TDD）に対応している。ＴＤＤ方式を採用したＬＴＥをＴＤ−ＬＴＥまたはＬＴＥ  ＴＤＤとも称する。ＴＤＤにおいて、上りリンク信号と下りリンク信号が時分割多重される。【０００４】
３ＧＰＰにおいて、トラフィックアダプテーション技術と干渉軽減技術（DL-UL Interference Management and Traffic Adaptation）をＴＤ−ＬＴＥに適用することが検討されている。トラフィックアダプテーション技術は、上りリンクのトラフィックと下りリンクのトラフィックに応じて、上りリンクリソースと下りリンクリソースの比率を変更する技術である。該トラフィックアダプテーション技術をダイナミックＴＤＤとも称する。【０００５】
非特許文献１において、フレキシブルサブフレーム（flexible subframe）を用いる方法が、トラフィックアダプテーションを実現する方法として提示されている。基地局装置は、フレキシブルサブフレームにおいて、上りリンク信号の受信または下りリンク信号の送信を行なうことができる。非特許文献１において、端末装置は、基地局装置によって、フレキシブルサブフレームにおいて上りリンク信号の送信を指示されない限り、該フレキシブルサブフレームを下りリンクサブフレームとみなす。【０００６】
非特許文献１には、新たに導入するＵＬ−ＤＬ設定（uplink-downlink configuration）に基づいてＰＤＳＣＨ（Physical Downlink Shared Channel）に対するＨＡＲＱ（Hybrid Automatic Repeat reQuest）タイミングを決定し、最初のUL-DL configurationに基づいてＰＵＳＣＨ（Physical Uplink Shared Channel）に対するＨＡＲＱタイミングを決定することが記載されている。【０００７】
非特許文献２には、（ａ）UL/DL Reference Configurationを導入すること、（ｂ）いくつかのサブフレームはスケジューラからのダイナミック・グラント／アサインメントによって上りリンク、または下りリンクの何れかのためにスケジュールされ得ることが記載されている。
【先行技術文献】
【非特許文献】
【０００８】
【非特許文献１】"On standardization impact of TDD UL-DL adaptation", R1-122016, Ericsson, ST-Ericsson, 3GPP TSG-RAN WG1 Meeting #69, Prague, Czech Republic,21st - 25th May 2012.
【非特許文献２】"Signalling support for dynamic TDD", R1-130558, Ericsson, ST-Ericsson, 3GPP TSG-RAN WG1 Meeting #72, St Julian’s, Malta, 28th January - 1st February 2013.
【発明の概要】
【発明が解決しようとする課題】
【０００９】
本発明のいくつかの態様は上記の点に鑑みてなされたものであり、その目的は、効率的に通信することができる端末装置、基地局装置、集積回路、および、通信方法を提供することを目的とする。
【課題を解決するための手段】
【００１０】
（１）上記の目的を達成するために、本発明の態様は、以下のような手段を講じた。すなわち、本発明の第１の態様は、端末装置であって、ＲＮＴＩ（Radio Network Temporary Identifier）を示す情報、ＲＮＴＩをともなう物理下りリンク制御チャネルをモニタするための周期Ｔを示す情報、および、周期Ｔ内においてＲＮＴＩをともなう物理下りリンク制御チャネルをモニタするサブフレームを示す情報を含む、セルのグループに対する情報を受信し、セルのグループにおける複数のセルのそれぞれに対する上りリンク−下りリンク設定を示す情報のインデックスを決定するための情報を含む、セルのグループにおける複数のセルのそれぞれに対する情報を受信し、ＲＮＴＩをともなう物理下りリンク制御チャネルをモニタするサブフレームにおける、セルのグループのうちの１つのセルのコモンサーチスペースにおいて、ＲＮＴＩをともなう物理下りリンク制御チャネルをモニタする受信部を備え、セルのグループにおける複数のセルのそれぞれに対する上りリンク−下りリンク設定を示す情報は、ＲＮＴＩをともなう物理下りリンク制御チャネルで送信され、１つのセルがＴＤＤ（Time Division Duplex）のセルである場合、ＲＲＣ（Radio Resource Control）メッセージに基づく上りリンク−下りリンク設定によって下りリンクサブフレームとして指示されたサブフレームが、ＲＮＴＩをともなう物理下りリンク制御チャネルをモニタのために設定される。【００１１】
（２）また、本発明の第１の態様において、１つのセルがＦＤＤ（Frequency Division Duplex）のセルである場合、任意のサブフレームが、ＲＮＴＩをともなう物理下りリンク制御チャネルをモニタのために設定される。【００１２】
（３）また、本発明の第１の態様において、受信部は、１つのセルのセルインデックスを示す情報を受信する。【００１３】
（４）また、本発明の第１の態様において、無線フレーム｛m・T/10, m・T/10+1,...,(m+1)・T/10-1｝においてＲＮＴＩをともなう物理下りリンク制御チャネルが検出された場合、複数のセルのそれぞれにおける無線フレーム｛(m+1)・T/10, (m+1)・T/10+1,...,(m+2)・T/10-1｝に対する上りリンク−下りリンク設定は、複数のセルのそれぞれに対する上りリンク−下りリンク設定を示す情報によって与えられる。【００１４】
（５）また、本発明の第１の態様において、無線フレーム｛(m+1)・T/10, (m+1)・T/10+1,...,(m+2)・T/10-1｝に対する上りリンク−下りリンク設定は、１つのセルにおけるＰＤＳＣＨのスケジューリングのために用いられるフォーマットの下りリンク制御情報をともなう物理下りリンク制御チャネルのモニタのために用いられる。【００１５】
（６）また、本発明の第１の態様において、周期Ｔは２０ミリ秒、４０ミリ秒、または、８０ミリ秒である。【００１６】
（７）また、本発明の第２の態様は、端末装置に用いられる通信方法であって、ＲＮＴＩ（Radio Network Temporary Identifier）を示す情報、前記ＲＮＴＩをともなう物理下りリンク制御チャネルをモニタするための周期Ｔを示す情報、および、前記周期Ｔ内において前記ＲＮＴＩをともなう物理下りリンク制御チャネルをモニタするサブフレームを示す情報を含む、セルのグループに対する情報を受信し、前記セルのグループにおける複数のセルのそれぞれに対する上りリンク−下りリンク設定を示す情報のインデックスを決定するための情報を含む、前記セルのグループにおける複数のセルのそれぞれに対する情報を受信し、前記ＲＮＴＩをともなう物理下りリンク制御チャネルをモニタするサブフレームにおける、前記セルのグループのうちの１つのセルのコモンサーチスペースにおいて、前記ＲＮＴＩをともなう物理下りリンク制御チャネルをモニタし、前記セルのグループにおける複数のセルのそれぞれに対する上りリンク−下りリンク設定を示す情報は、前記ＲＮＴＩをともなう物理下りリンク制御チャネルで送信され、前記１つのセルがＴＤＤ（Time Division Duplex）のセルである場合、ＲＲＣ（Radio Resource Control）メッセージに基づく上りリンク−下りリンク設定によって下りリンクサブフレームとして指示されたサブフレームが、前記ＲＮＴＩをともなう物理下りリンク制御チャネルをモニタのために設定される。【００１７】
（８）また、本発明の第３の態様は、端末装置に実装される集積回路であって、ＲＮＴＩ（Radio Network Temporary Identifier）を示す情報、前記ＲＮＴＩをともなう物理下りリンク制御チャネルをモニタするための周期Ｔを示す情報、および、前記周期Ｔ内において前記ＲＮＴＩをともなう物理下りリンク制御チャネルをモニタするサブフレームを示す情報を含む、セルのグループに対する情報を受信する機能と、前記セルのグループにおける複数のセルのそれぞれに対する上りリンク−下りリンク設定を示す情報のインデックスを決定するための情報を含む、前記セルのグループにおける複数のセルのそれぞれに対する情報を受信する機能と、前記ＲＮＴＩをともなう物理下りリンク制御チャネルをモニタするサブフレームにおける、前記セルのグループのうちの１つのセルのコモンサーチスペースにおいて、前記ＲＮＴＩをともなう物理下りリンク制御チャネルをモニタする機能と、を含む一連の機能を前記端末装置に発揮させ、前記セルのグループにおける複数のセルのそれぞれに対する上りリンク−下りリンク設定を示す情報は、前記ＲＮＴＩをともなう物理下りリンク制御チャネルで送信され、前記１つのセルがＴＤＤ（Time Division Duplex）のセルである場合、ＲＲＣ（Radio Resource Control）メッセージに基づく上りリンク−下りリンク設定によって下りリンクサブフレームとして指示されたサブフレームが、前記ＲＮＴＩをともなう物理下りリンク制御チャネルをモニタのために設定される。【００１８】
（９）また、本発明の第４の態様は、基地局装置であって、ＲＮＴＩ（Radio Network Temporary Identifier）を示す情報、前記ＲＮＴＩをともなう物理下りリンク制御チャネルをモニタするための周期Ｔを示す情報、および、前記周期Ｔ内において前記ＲＮＴＩをともなう物理下りリンク制御チャネルをモニタするサブフレームを示す情報を含む、セルのグループに対する情報を送信し、前記セルのグループにおける複数のセルのそれぞれに対する上りリンク−下りリンク設定を示す情報のインデックスを決定するための情報を含む、前記セルのグループにおける複数のセルのそれぞれに対する情報を送信する送信部を備え、前記ＲＮＴＩをともなう物理下りリンク制御チャネルをモニタするサブフレームにおける、前記セルのグループのうちの１つのセルのコモンサーチスペースにおいて、前記ＲＮＴＩをともなう物理下りリンク制御チャネルがモニタされ、前記セルのグループにおける複数のセルのそれぞれに対する上りリンク−下りリンク設定を示す情報は、前記ＲＮＴＩをともなう物理下りリンク制御チャネルで送信され、前記１つのセルがＴＤＤ（Time Division Duplex）のセルである場合、ＲＲＣ（Radio Resource Control）メッセージに基づく上りリンク−下りリンク設定によって下りリンクサブフレームとして指示されたサブフレームが、前記ＲＮＴＩをともなう物理下りリンク制御チャネルをモニタのために設定される。【００１９】
（１０）また、本発明の第４の態様において、前記１つのセルがＦＤＤ（Frequency Division Duplex）のセルである場合、任意のサブフレームが、前記ＲＮＴＩをともなう物理下りリンク制御チャネルをモニタのために設定される。【００２０】
（１１）また、本発明の第４の態様において、前記送信部は、前記１つのセルのセルインデックスを示す情報を送信する。【００２１】
（１２）また、本発明の第４の態様において、無線フレーム｛m・T/10, m・T/10+1,...,(m+1)・T/10-1｝において前記ＲＮＴＩをともなう物理下りリンク制御チャネルが検出された場合、前記複数のセルのそれぞれにおける無線フレーム｛(m+1)・T/10, (m+1)・T/10+1,...,(m+2)・T/10-1｝に対する上りリンク−下りリンク設定は、前記複数のセルのそれぞれに対する上りリンク−下りリンク設定を示す情報によって与えられる。【００２２】
（１３）また、本発明の第４の態様において、前記無線フレーム｛(m+1)・T/10, (m+1)・T/10+1,...,(m+2)・T/10-1｝に対する上りリンク−下りリンク設定は、１つのセルにおけるＰＤＳＣＨのスケジューリングのために用いられるフォーマットの下りリンク制御情報をともなう物理下りリンク制御チャネルのモニタのために用いられる。【００２３】
（１４）また、本発明の第４の態様において、前記周期Ｔは２０ミリ秒、４０ミリ秒、または、８０ミリ秒である。【００２４】
（１５）また、本発明の第５の態様は、基地局装置に用いられる通信方法であって、ＲＮＴＩ（Radio Network Temporary Identifier）を示す情報、前記ＲＮＴＩをともなう物理下りリンク制御チャネルをモニタするための周期Ｔを示す情報、および、前記周期Ｔ内において前記ＲＮＴＩをともなう物理下りリンク制御チャネルをモニタするサブフレームを示す情報を含む、セルのグループに対する情報を送信し、前記セルのグループにおける複数のセルのそれぞれに対する上りリンク−下りリンク設定を示す情報のインデックスを決定するための情報を含む、前記セルのグループにおける複数のセルのそれぞれに対する情報を送信し、前記ＲＮＴＩをともなう物理下りリンク制御チャネルをモニタするサブフレームにおける、前記セルのグループのうちの１つのセルのコモンサーチスペースにおいて、前記ＲＮＴＩをともなう物理下りリンク制御チャネルがモニタされ、前記セルのグループにおける複数のセルのそれぞれに対する上りリンク−下りリンク設定を示す情報は、前記ＲＮＴＩをともなう物理下りリンク制御チャネルで送信され、前記１つのセルがＴＤＤ（Time Division Duplex）のセルである場合、ＲＲＣ（Radio Resource Control）メッセージに基づく上りリンク−下りリンク設定によって下りリンクサブフレームとして指示されたサブフレームが、前記ＲＮＴＩをともなう物理下りリンク制御チャネルをモニタのために設定される。【００２５】
（１６）また、本発明の第６の態様は、基地局装置に実装される集積回路であって、ＲＮＴＩ（Radio Network Temporary Identifier）を示す情報、前記ＲＮＴＩをともなう物理下りリンク制御チャネルをモニタするための周期Ｔを示す情報、および、前記周期Ｔ内において前記ＲＮＴＩをともなう物理下りリンク制御チャネルをモニタするサブフレームを示す情報を含む、セルのグループに対する情報を送信する機能と、前記セルのグループにおける複数のセルのそれぞれに対する上りリンク−下りリンク設定を示す情報のインデックスを決定するための情報を含む、前記セルのグループにおける複数のセルのそれぞれに対する情報を送信する機能と、を含む一連の機能を前記基地局装置に発揮させ、前記ＲＮＴＩをともなう物理下りリンク制御チャネルをモニタするサブフレームにおける、前記セルのグループのうちの１つのセルのコモンサーチスペースにおいて、前記ＲＮＴＩをともなう物理下りリンク制御チャネルがモニタされ、前記セルのグループにおける複数のセルのそれぞれに対する上りリンク−下りリンク設定を示す情報は、前記ＲＮＴＩをともなう物理下りリンク制御チャネルで送信され、前記１つのセルがＴＤＤ（Time Division Duplex）のセルである場合、ＲＲＣ（Radio Resource Control）メッセージに基づく上りリンク−下りリンク設定によって下りリンクサブフレームとして指示されたサブフレームが、前記ＲＮＴＩをともなう物理下りリンク制御チャネルをモニタのために設定される。
【発明の効果】
【００２６】
この発明のいくつかの態様によれば、端末装置が、基地局装置と効率的に通信することができる。
【図面の簡単な説明】
【００２７】
【図１】本実施形態の無線通信システムの概念図である。
【図２】本実施形態の無線フレームの概略構成を示す図である。
【図３】本実施形態のスロットの構成を示す図である。
【図４】本実施形態の下りリンクサブフレームにおける物理チャネルおよび物理信号の配置の一例を示す図である。
【図５】本実施形態の上りリンクサブフレームにおける物理チャネルおよび物理信号の配置の一例を示す図である。
【図６】本実施形態のスペシャルサブフレームにおける物理チャネルおよび物理信号の配置の一例を示す図である。
【図７】本実施形態におけるＵＬ−ＤＬ設定の一例を示す表である。
【図８】本実施形態における第１のＵＬ参照ＵＬ−ＤＬ設定および第１のＤＬ参照ＵＬ−ＤＬ設定のセッティング方法を示すフロー図である。
【図９】本実施形態における第２のＵＬ参照ＵＬ−ＤＬ設定のセッティング方法を示すフロー図である。
【図１０】本実施形態における他のサービングセル（プライマリーセル）に対する第１のＵＬ参照ＵＬ−ＤＬ設定、および、サービングセル（セカンダリーセル）に対する第１のＵＬ参照ＵＬ−ＤＬ設定によって形成されるペア、および、セカンダリーセルに対する第２のＵＬ参照ＵＬ−ＤＬ設定の対応を示す図である。
【図１１】本実施形態における第２のＤＬ参照ＵＬ−ＤＬ設定のセッティング方法を示すフロー図である。
【図１２】本実施形態におけるプライマリーセルに対する第１のＤＬ参照ＵＬ−ＤＬ設定、および、セカンダリーセルに対する第１のＤＬ参照ＵＬ−ＤＬ設定によって形成されるペア、および、セカンダリーセルに対する第２のＤＬ参照ＵＬ−ＤＬ設定の対応を示す図である。
【図１３】本実施形態におけるＰＤＣＣＨ／ＥＰＤＣＣＨ／ＰＨＩＣＨが配置されるサブフレームｎと前記ＰＤＣＣＨ／ＥＰＤＣＣＨ／ＰＨＩＣＨが対応するＰＵＳＣＨが配置されるサブフレームｎ＋ｋとの対応を示す図である。
【図１４】本実施形態におけるＰＵＳＣＨが配置されるサブフレームｎと前記ＰＵＳＣＨが対応するＰＨＩＣＨが配置されるサブフレームｎ＋ｋとの対応を示す図である。
【図１５】本実施形態におけるＰＤＳＣＨが配置されるサブフレームｎ−ｋと前記ＰＤＳＣＨが対応するＨＡＲＱ−ＡＣＫが送信されるサブフレームｎとの対応を示す図である。
【図１６】本実施形態におけるServCellIndexと第３の情報のインデックスとの対応の設定の一例を示す図である。
【図１７】本実施形態における第３の情報を含むＤＣＩフォーマット５の一例を示す図である。
【図１８】本実施形態における第３の情報を含むＤＣＩフォーマット５のモニタリングに対する設定インデックスの一例を示す第１の図である。
【図１９】本実施形態における第３の情報を含むＤＣＩフォーマット５のモニタリングに対する設定インデックスの一例を示す第２の図である。
【図２０】本実施形態における第３の情報を含むＤＣＩフォーマット５のモニタリングに対する設定インデックスの一例を示す第３の図である。
【図２１】本実施形態における第３の情報を含むＤＣＩフォーマット５のモニタリングに対する設定インデックスの一例を示す第４の図である。
【図２２】本実施形態における周期Ｔおよびオフセットｋの一例を示す図である。
【図２３】本実施形態におけるセルグループインデックスとServCellIndexと第３の情報のインデックスとの対応の設定の一例を示す図である。
【図２４】本実施形態におけるセルグループのそれぞれに対する周期Ｔおよびオフセットｋの一例を示す図である。
【図２５】本実施形態の端末装置１の構成を示す概略ブロック図である。
【図２６】本実施形態の基地局装置３の構成を示す概略ブロック図である。
【発明を実施するための形態】
【００２８】
以下、本発明の実施形態について説明する。
【００２９】
本実施形態では、端末装置は、複数のセルが設定される。端末装置が複数のセルを介して通信する技術をセルアグリゲーション、またはキャリアアグリゲーションと称する。端末装置に対して設定される複数のセルのそれぞれにおいて、本発明が適用されてもよい。また、設定された複数のセルの一部において、本発明が適用されてもよい。端末装置に設定されるセルを、サービングセルとも称する。
【００３０】
設定された複数のサービングセルは、１つのプライマリーセルと１つまたは複数のセカンダリーセルとを含む。プライマリーセルは、初期コネクション確立（initial connection establishment）プロシージャが行なわれたサービングセル、コネクション再確立（connection re-establishment）プロシージャを開始したサービングセル、または、ハンドオーバプロシージャにおいてプライマリーセルと指示されたセルである。ＲＲＣコネクションが確立された時点、または、後に、セカンダリーセルが設定されてもよい。
【００３１】
本実施形態の無線通信システムは、ＴＤＤ（Time Division Duplex）方式が適用される。セルアグリゲーションの場合には、複数のセルの全てに対してＴＤＤ方式が適用されてもよい。また、セルアグリゲーションの場合には、ＴＤＤ方式が適用されるセルとＦＤＤ（Frequency Division Duplex）方式が適用されるセルが集約されてもよい。セルアグリゲーションの場合には、一部または全てのセルに対して本発明を適用することができる。
【００３２】
図１は、本実施形態の無線通信システムの概念図である。図１において、無線通信システムは、端末装置１Ａ〜１Ｃ、および基地局装置３を具備する。以下、端末装置１Ａ〜１Ｃを端末装置１という。
【００３３】
本実施形態の物理チャネルおよび物理信号について説明する。
【００３４】
図１において、端末装置１から基地局装置３への上りリンクの無線通信では、以下の上りリンク物理チャネルが用いられる。上りリンク物理チャネルは、上位層から出力された情報を送信するために使用される。
・ＰＵＣＣＨ（Physical Uplink Control Channel）
・ＰＵＳＣＨ（Physical Uplink Shared Channel）
・ＰＲＡＣＨ（Physical Random Access Channel）
【００３５】
ＰＵＣＣＨは、上りリンク制御情報（Uplink Control Information: UCI）を送信するために用いられる物理チャネルである。上りリンク制御情報は、下りリンクのチャネル状態情報（Channel State Information: CSI）、ＰＵＳＣＨリソースの要求を示すスケジューリング要求（Scheduling Request: SR）、下りリンクデータ（Transport block, Downlink-Shared Channel: DL-SCH）に対するＡＣＫ（acknowledgement）／ＮＡＣＫ（negative-acknowledgement）を含む。ＡＣＫ／ＮＡＣＫを、ＨＡＲＱ−ＡＣＫ、ＨＡＲＱフィードバック、または、応答情報とも称する。
【００３６】
ＰＵＳＣＨは、上りリンクデータ（Uplink-Shared Channel: UL-SCH）を送信するために用いられる物理チャネルである。また、ＰＵＳＣＨは、上りリンクデータと共にＨＡＲＱ−ＡＣＫおよび／またはチャネル状態情報を送信するために用いられてもよい。また、ＰＵＳＣＨはチャネル状態情報のみ、または、ＨＡＲＱ−ＡＣＫおよびチャネル状態情報のみを送信するために用いられてもよい。
【００３７】
ＰＲＡＣＨは、ランダムアクセスプリアンブルを送信するために用いられる物理チャネルである。ＰＲＡＣＨは、初期コネクション確立（initial connection establishment）プロシージャ、ハンドオーバプロシージャ、コネクション再確立（connection re-establishment）プロシージャ、上りリンク送信に対する同期（タイミング調整）、およびＰＵＳＣＨリソースの要求を示すために用いられる。
【００３８】
図１において、上りリンクの無線通信では、以下の上りリンク物理信号が用いられる。上りリンク物理信号は、上位層から出力された情報を送信するために使用されないが、物理層によって使用される。
・上りリンク参照信号（Uplink Reference Signal: UL RS）
【００３９】
本実施形態において、以下の２つのタイプの上りリンク参照信号が用いられる。
・ＤＭＲＳ（Demodulation Reference Signal）
・ＳＲＳ（Sounding Reference Signal）
【００４０】
ＤＭＲＳは、ＰＵＳＣＨまたはＰＵＣＣＨの送信に関連する。ＤＭＲＳは、ＰＵＳＣＨまたはＰＵＣＣＨと時間多重される。基地局装置３は、ＰＵＳＣＨまたはＰＵＣＣＨの伝搬路補正を行なうためにＤＭＲＳを使用する。以下、ＰＵＳＣＨとＤＭＲＳを共に送信することを、単にＰＵＳＣＨを送信すると称する。以下、ＰＵＣＣＨとＤＭＲＳを共に送信することを、単にＰＵＣＣＨを送信すると称する。
【００４１】
ＳＲＳは、ＰＵＳＣＨまたはＰＵＣＣＨの送信に関連しない。基地局装置３は、上りリンクのチャネル状態を測定するためにＳＲＳを使用する。端末装置１は、上位層によって設定された第１のリソースにおいて第１のＳＲＳを送信する。さらに、端末装置１は、ＰＤＣＣＨを介してＳＲＳの送信を要求することを示す情報を受信した場合に、上位層によって設定された第２のリソースにおいて第２のＳＲＳを１回のみ送信する。第１のＳＲＳをピリオディックＳＲＳまたはタイプ０トリガードＳＲＳとも称する。第２のＳＲＳをアピリオディックＳＲＳまたはタイプ１トリガードＳＲＳとも称する。アピリオディックＳＲＳの送信は、ＳＲＳの送信を要求することを示す情報によってスケジュールされる。
【００４２】
図１において、基地局装置３から端末装置１への下りリンクの無線通信では、以下の下りリンク物理チャネルが用いられる。下りリンク物理チャネルは、上位層から出力された情報を送信するために使用される。
・ＰＢＣＨ（Physical Broadcast Channel）
・ＰＣＦＩＣＨ（Physical Control Format Indicator Channel）
・ＰＨＩＣＨ（Physical Hybrid automatic repeat request Indicator Channel）
・ＰＤＣＣＨ（Physical Downlink Control Channel）
・ＥＰＤＣＣＨ（Enhanced Physical Downlink Control Channel）
・ＰＤＳＣＨ（Physical Downlink Shared Channel）
・ＰＭＣＨ（Physical Multicast Channel）
【００４３】
ＰＢＣＨは、端末装置１で共通に用いられるマスターインフォメーションブロック（Master Information Block: MIB, Broadcast Channel: BCH）を報知するために用いられる。
【００４４】
ＰＣＦＩＣＨは、ＰＤＣＣＨの送信に用いられる領域（ＯＦＤＭシンボル）を指示する情報を送信するために用いられる。
【００４５】
ＰＨＩＣＨは、基地局装置３が受信した上りリンクデータ（Uplink Shared Channel: UL-SCH）に対するＡＣＫ（ACKnowledgement）またはＮＡＣＫ（Negative ACKnowledgement）を示すＨＡＲＱインディケータ（ＨＡＲＱフィードバック、応答情報）を送信するために用いられる。
【００４６】
ＰＤＣＣＨおよびＥＰＤＣＣＨは、下りリンク制御情報（Downlink Control Information: DCI）を送信するために用いられる。下りリンク制御情報を、ＤＣＩフォーマットとも称する。下りリンク制御情報は、少なくとも１つのＵＬ−ＤＬ設定の送信のために用いられるＤＣＩフォーマット５、下りリンクグラント（downlink grant）および上りリンクグラント（uplink grant）を含む。下りリンクグラントは、下りリンクアサインメント（downlink assignment）または下りリンク割り当て（downlink allocation）とも称する。
【００４７】
下りリンクグラントは、ＤＣＩフォーマット１Ａを含む。下りリンクグラントは、単一のセル内の単一のＰＤＳＣＨのスケジューリングに用いられる。下りリンクグラントは、該下りリンクグラントが送信されたサブフレームと同じサブフレーム内のＰＤＳＣＨのスケジューリングに用いられる。
【００４８】
上りリンクグラントは、ＤＣＩフォーマット０を含む。上りリンクグラントは、単一のセル内の単一のＰＵＳＣＨのスケジューリングに用いられる。上りリンクグラントは、該上りリンクグラントが送信されたサブフレームより４つ以上後のサブフレーム内の単一のＰＵＳＣＨのスケジューリングに用いられる。
【００４９】
ＰＤＳＣＨは、下りリンクデータ（Downlink Shared Channel: DL-SCH）を送信するために用いられる。
【００５０】
ＰＭＣＨは、マルチキャストデータ（Multicast Channel: MCH）を送信するために用いられる。
【００５１】
図１において、下りリンクの無線通信では、以下の下りリンク物理信号が用いられる。下りリンク物理信号は、上位層から出力された情報を送信するために使用されないが、物理層によって使用される。
・同期信号（Synchronization signal: SS）
・下りリンク参照信号（Downlink Reference Signal: DL RS）
【００５２】
同期信号は、端末装置１が下りリンクの周波数領域および時間領域の同期をとるために用いられる。ＴＤＤ方式において、同期信号は無線フレーム内のサブフレーム０、１、５、６に配置される。ＦＤＤ方式において、同期信号は無線フレーム内のサブフレーム０と５に配置される。
【００５３】
下りリンク参照信号は、端末装置１が下りリンク物理チャネルの伝搬路補正を行なうために用いられる。下りリンク参照信号は、端末装置１が下りリンクのチャネル状態情報を算出するために用いられる。
【００５４】
本実施形態において、以下の５つのタイプの下りリンク参照信号が用いられる。
・ＣＲＳ（Cell-specific Reference Signal）
・ＰＤＳＣＨに関連するＵＲＳ（UE-specific Reference Signal）
・ＥＰＤＣＣＨに関連するＤＭＲＳ（Demodulation Reference Signal）
・ＮＺＰ  ＣＳＩ−ＲＳ（Non-Zero Power Chanel State Information - Reference Signal）
・ＺＰ  ＣＳＩ−ＲＳ（Zero Power Chanel State Information - Reference Signal）
・ＭＢＳＦＮ  ＲＳ（Multimedia Broadcast and Multicast Service over Single Frequency Network Reference signal）
・ＰＲＳ（Positioning Reference Signal）
【００５５】
ＣＲＳは、サブフレームの全帯域で送信される。ＣＲＳは、ＰＢＣＨ／ＰＤＣＣＨ／ＰＨＩＣＨ／ＰＣＦＩＣＨ／ＰＤＳＣＨの復調を行なうために用いられる。ＣＲＳは、端末装置１が下りリンクのチャネル状態情報を算出するために用いられてもよい。ＰＢＣＨ／ＰＤＣＣＨ／ＰＨＩＣＨ／ＰＣＦＩＣＨは、ＣＲＳの送信に用いられるアンテナポートで送信される。
【００５６】
ＰＤＳＣＨに関連するＵＲＳは、ＵＲＳが関連するＰＤＳＣＨの送信に用いられるサブフレームおよび帯域で送信される。ＵＲＳは、ＵＲＳが関連するＰＤＳＣＨの復調を行なうために用いられる。
【００５７】
ＰＤＳＣＨは、ＣＲＳまたはＵＲＳの送信に用いられるアンテナポートで送信される。ＤＣＩフォーマット１Ａは、ＣＲＳの送信に用いられるアンテナポートで送信されるＰＤＳＣＨのスケジューリングに用いられる。ＤＣＩフォーマット２Ｄは、ＵＲＳの送信に用いられるアンテナポートで送信されるＰＤＳＣＨのスケジューリングに用いられる。
【００５８】
ＥＰＤＣＣＨに関連するＤＭＲＳは、ＤＭＲＳが関連するＥＰＤＣＣＨの送信に用いられるサブフレームおよび帯域で送信される。ＤＭＲＳは、ＤＭＲＳが関連するＥＰＤＣＣＨの復調を行なうために用いられる。ＥＰＤＣＣＨは、ＤＭＲＳの送信に用いられるアンテナポートで送信される。
【００５９】
ＮＺＰ  ＣＳＩ−ＲＳは、設定されたサブフレームで送信される。ＮＺＰ  ＣＳＩ−ＲＳが送信されるリソースは、基地局装置が設定する。ＮＺＰ  ＣＳＩ−ＲＳは、端末装置１が下りリンクのチャネル状態情報を算出するために用いられる。端末装置１は、ＮＺＰ  ＣＳＩ−ＲＳを用いて信号測定（チャネル測定）を行なう。
【００６０】
ＺＰ  ＣＳＩ−ＲＳのリソースは、基地局装置３が設定する。基地局装置３は、ＺＰ  ＣＳＩ−ＲＳをゼロ出力で送信する。つまり、基地局装置３は、ＺＰ  ＣＳＩ−ＲＳを送信しない。基地局装置３は、ＺＰ  ＣＳＩ−ＲＳの設定したリソースにおいて、ＰＤＳＣＨおよびＥＰＤＣＣＨを送信しない。例えば、あるセルにおいてＮＺＰ  ＣＳＩ−ＲＳが対応するリソースにおいて、端末装置１は、干渉を測定することができる。
【００６１】
ＭＢＳＦＮ  ＲＳは、ＰＭＣＨの送信に用いられるサブフレームの全帯域で送信される。ＭＢＳＦＮ  ＲＳは、ＰＭＣＨの復調を行なうために用いられる。ＰＭＣＨは、ＭＢＳＦＮ  ＲＳの送信用いられるアンテナポートで送信される。
【００６２】
ＰＲＳは、端末装置が、自装置の地理的な位置を測定するために用いられる。
【００６３】
下りリンク物理チャネルおよび下りリンク物理信号を総称して、下りリンク信号と称する。上りリンク物理チャネルおよび上りリンク物理信号を総称して、上りリンク信号と称する。下りリンク物理チャネルおよび上りリンク物理チャネルを総称して、物理チャネルと称する。下りリンク物理信号および上りリンク物理信号を総称して、物理信号と称する。
【００６４】
ＢＣＨ、ＭＣＨ、ＵＬ−ＳＣＨおよびＤＬ−ＳＣＨは、トランスポートチャネルである。媒体アクセス制御（Medium Access Control: MAC）層で用いられるチャネルをトランスポートチャネルと称する。ＭＡＣ層で用いられるトランスポートチャネルの単位を、トランスポートブロック（transport block: TB）またはＭＡＣ  ＰＤＵ（Protocol Data Unit）とも称する。ＭＡＣ層においてトランスポートブロック毎にＨＡＲＱ（Hybrid Automatic Repeat reQuest）の制御が行なわれる。トランスポートブロックは、ＭＡＣ層が物理層に渡す（deliver）データの単位である。物理層において、トランスポートブロックはコードワードにマップされ、コードワード毎に符号化処理が行なわれる。
【００６５】
以下、本実施形態の無線フレーム（radio frame）の構成について説明する。
【００６６】
図２は、本実施形態の無線フレームの概略構成を示す図である。無線フレームのそれぞれは、１０ｍｓ長である。図２において、横軸は時間軸である。また、無線フレームのそれぞれは２つのハーフフレームから構成される。ハーフフレームのそれぞれは、５ｍｓ長である。ハーフフレームのそれぞれは、５のサブフレームから構成される。サブフレームのそれぞれは、１ｍｓ長であり、２つの連続するスロットによって定義される。スロットのそれぞれは、０．５ｍｓ長である。無線フレーム内のｉ番目のサブフレームは、（２×ｉ）番目のスロットと（２×ｉ＋１）番目のスロットとから構成される。つまり、１０ｍｓ間隔のそれぞれにおいて、１０個のサブフレームが利用できる。
【００６７】
本実施形態では、以下の３つのタイプのサブフレームを定義する。
・下りリンクサブフレーム（第１のサブフレーム）
・上りリンクサブフレーム（第２のサブフレーム）
・スペシャルサブフレーム（第３のサブフレーム）
【００６８】
下りリンクサブフレームは下りリンク送信のためにリザーブされるサブフレームである。上りリンクサブフレームは上りリンク送信のためにリザーブされるサブフレームである。スペシャルサブフレームは３つのフィールドから構成される。該３つのフィールドは、ＤｗＰＴＳ（Downlink Pilot Time Slot）、ＧＰ（Guard Period）、およびＵｐＰＴＳ（Uplink Pilot Time Slot）である。ＤｗＰＴＳ、ＧＰ、およびＵｐＰＴＳの合計の長さは１ｍｓである。ＤｗＰＴＳは下りリンク送信のためにリザーブされるフィールドである。ＵｐＰＴＳは上りリンク送信のためにリザーブされるフィールドである。ＧＰは下りリンク送信および上りリンク送信が行なわれないフィールドである。尚、スペシャルサブフレームは、ＤｗＰＴＳおよびＧＰのみによって構成されてもよいし、ＧＰおよびＵｐＰＴＳのみによって構成されてもよい。
【００６９】
単一の無線フレームは、少なくとも下りリンクサブフレーム、上りリンクサブフレーム、およびスペシャルサブフレームから構成される。
【００７０】
以下、本実施形態のスロットの構成について説明する。
【００７１】
図３は、本実施形態のスロットの構成を示す図である。本実施形態では、ＯＦＤＭシンボルに対してノーマルＣＰ（normal Cyclic Prefix）が適用される。尚、ＯＦＤＭシンボルに対して拡張ＣＰ（extended Cyclic Prefix）が適用されてもよい。スロットのそれぞれにおいて送信される物理信号または物理チャネルは、リソースグリッドによって表現される。図３において、横軸は時間軸であり、縦軸は周波数軸である。下りリンクにおいて、リソースグリッドは複数のサブキャリアと複数のＯＦＤＭシンボルによって定義される。上りリンクにおいて、リソースグリッドは複数のサブキャリアと複数のＳＣ−ＦＤＭＡシンボルによって定義される。１つのスロットを構成するサブキャリアの数は、セルの帯域幅に依存する。１つのスロットを構成するＯＦＤＭシンボルまたはＳＣ−ＦＤＭＡシンボルの数は７である。リソースグリッド内のエレメントのそれぞれをリソースエレメントと称する。リソースエレメントは、サブキャリアの番号とＯＦＤＭシンボルまたはＳＣ−ＦＤＭＡシンボルの番号とを用いて識別する。
【００７２】
リソースブロックは、ある物理チャネル（ＰＤＳＣＨまたはＰＵＳＣＨなど）のリソースエレメントへのマッピングを表現するために用いられる。リソースブロックは、仮想リソースブロックと物理リソースブロックが定義される。ある物理チャネルは、まず仮想リソースブロックにマップされる。その後、仮想リソースブロックは、物理リソースブロックにマップされる。１つの物理リソースブロックは、時間領域において７個の連続するＯＦＤＭシンボルまたはＳＣ−ＦＤＭＡシンボルと周波数領域において１２個の連続するサブキャリアとから定義される。ゆえに、１つの物理リソースブロックは（７×１２）個のリソースエレメントから構成される。また、１つの物理リソースブロックは、時間領域において１つのスロットに対応し、周波数領域において１８０ｋＨｚに対応する。物理リソースブロックは周波数領域において０から番号が付けられる。
【００７３】
以下、サブフレームのそれぞれにおいて送信される物理チャネルおよび物理信号について説明する。
【００７４】
図４は、本実施形態の下りリンクサブフレームにおける物理チャネルおよび物理信号の配置の一例を示す図である。図４において、横軸は時間軸であり、縦軸は周波数軸である。基地局装置３は、下りリンクサブフレームにおいて、下りリンク物理チャネル（ＰＢＣＨ、ＰＣＦＩＣＨ、ＰＨＩＣＨ、ＰＤＣＣＨ、ＥＰＤＣＣＨ、ＰＤＳＣＨ）、および下りリンク物理信号（同期信号、下りリンク参照信号）を送信してもよい。尚、ＰＢＣＨは無線フレーム内のサブフレーム０のみで送信される。尚、下りリンク参照信号は周波数領域および時間領域において分散するリソースエレメントに配置される。説明の簡略化のため図４において下りリンク参照信号は図示しない。
【００７５】
ＰＤＣＣＨ領域において、複数のＰＤＣＣＨが周波数および時間多重されてもよい。ＥＰＤＣＣＨ領域において、複数のＥＰＤＣＣＨが周波数、時間、および空間多重されてもよい。ＰＤＳＣＨ領域において、複数のＰＤＳＣＨが周波数および空間多重されてもよい。ＰＤＣＣＨとＰＤＳＣＨまたはＥＰＤＣＣＨは時間多重されてもよい。ＰＤＳＣＨとＥＰＤＣＣＨは周波数多重されてもよい。
【００７６】
図５は、本実施形態の上りリンクサブフレームにおける物理チャネルおよび物理信号の配置の一例を示す図である。図５において、横軸は時間軸であり、縦軸は周波数軸である。端末装置１は、上りリンクサブフレームにおいて、上りリンク物理チャネル（ＰＵＣＣＨ、ＰＵＳＣＨ、ＰＲＡＣＨ）、および上りリンク物理信号（ＤＭＲＳ、ＳＲＳ）を送信してもよい。ＰＵＣＣＨ領域において、複数のＰＵＣＣＨが周波数、時間、および符合多重される。ＰＵＳＣＨ領域において、複数のＰＵＳＣＨが周波数および空間多重されてもよい。ＰＵＣＣＨとＰＵＳＣＨは周波数多重されてもよい。ＰＲＡＣＨは単一のサブフレームまたは２つのサブフレームにわたって配置されてもよい。また、複数のＰＲＡＣＨが符号多重されてもよい。
【００７７】
ＳＲＳは上りリンクサブフレーム内の最後のＳＣ−ＦＤＭＡシンボルを用いて送信される。つまり、ＳＲＳは上りリンクサブフレーム内の最後のＳＣ−ＦＤＭＡシンボルに配置される。端末装置１は、単一のセルの単一のＳＣ−ＦＤＭＡシンボルにおいて、ＳＲＳとＰＵＣＣＨ／ＰＵＳＣＨ／ＰＲＡＣＨを同時に送信することはできない。端末装置１は、単一のセルの単一の上りリンクサブフレームにおいて、該上りリンクサブフレーム内の最後のＳＣ−ＦＤＭＡシンボルを除くＳＣ−ＦＤＭＡシンボルを用いてＰＵＳＣＨおよび／またはＰＵＣＣＨを送信し、該上りリンクサブフレーム内の最後のＳＣ−ＦＤＭＡシンボルを用いてＳＲＳを送信することができる。つまり、単一のセルの単一の上りリンクサブフレームにおいて、端末装置１は、ＳＲＳとＰＵＳＣＨ／ＰＵＣＣＨの両方を送信することができる。尚、ＤＭＲＳはＰＵＣＣＨまたはＰＵＳＣＨと時間多重される。説明の簡略化のため図５においてＤＭＲＳは図示しない。
【００７８】
図６は、本実施形態のスペシャルサブフレームにおける物理チャネルおよび物理信号の配置の一例を示す図である。図６において、横軸は時間軸であり、縦軸は周波数軸である。図６において、ＤｗＰＴＳはスペシャルサブフレーム内の１番目から１０番目のＳＣ−ＦＤＭＡシンボルから構成され、ＧＰはスペシャルサブフレーム内の１１番目と１２番目のＳＣ−ＦＤＭＡシンボルから構成され、ＵｐＰＴＳはスペシャルサブフレーム内の１３番目と１４番目のＳＣ−ＦＤＭＡシンボルから構成される。
【００７９】
基地局装置３は、スペシャルサブフレームのＤｗＰＴＳにおいて、ＰＣＦＩＣＨ、ＰＨＩＣＨ、ＰＤＣＣＨ、ＥＰＤＣＣＨ、ＰＤＳＣＨ、同期信号、および、下りリンク参照信号を送信してもよい。基地局装置３は、スペシャルサブフレームのＤｗＰＴＳにおいて、ＰＢＣＨを送信しない。端末装置１は、スペシャルサブフレームのＵｐＰＴＳにおいて、ＰＲＡＣＨ、およびＳＲＳを送信してもよい。つまり、端末装置１は、スペシャルサブフレームのＵｐＰＴＳにおいて、ＰＵＣＣＨ、ＰＵＳＣＨ、およびＤＭＲＳを送信しない。
【００８０】
以下、第１のＵＬ参照ＵＬ−ＤＬ設定（uplink reference uplink-downlink configuration）、第１のＤＬ参照ＵＬ−ＤＬ設定（downlink reference uplink-downlink configuration）、第２のＵＬ参照ＵＬ−ＤＬ設定、第２のＤＬ参照ＵＬ−ＤＬ設定、および、送信方向ＵＬ−ＤＬ設定（transmission direction uplink-downlink configuration）について説明する。
【００８１】
第１のＵＬ参照ＵＬ−ＤＬ設定、第１のＤＬ参照ＵＬ−ＤＬ設定、第２のＵＬ参照ＵＬ−ＤＬ設定、第２のＤＬ参照ＵＬ−ＤＬ設定、および、送信方向ＵＬ−ＤＬ設定は、ＵＬ−ＤＬ設定（uplink - downlink configuration, UL - DL configuration）によって定義される。
【００８２】
ＵＬ−ＤＬ設定は、無線フレーム内におけるサブフレームのパターンに関する設定である。ＵＬ−ＤＬ設定は、無線フレーム内におけるサブフレームのそれぞれが、下りリンクサブフレーム、上りリンクサブフレーム、および、スペシャルサブフレームの何れであるかを示す。
【００８３】
つまり、第１のＵＬ参照ＵＬ−ＤＬ設定、第２のＵＬ参照ＵＬ−ＤＬ設定、第１のＤＬ参照ＵＬ−ＤＬ設定、第２のＤＬ参照ＵＬ−ＤＬ設定、および、送信方向ＵＬ−ＤＬ設定は、無線フレーム内における下りリンクサブフレーム、上りリンクサブフレーム、および、スペシャルサブフレームのパターンによって定義される。
【００８４】
下りリンクサブフレーム、上りリンクサブフレーム、および、スペシャルサブフレームのパターンとは、サブフレーム＃０から＃９のそれぞれが、下りリンクサブフレーム、上りリンクサブフレーム、および、スペシャルサブフレームのいずれであるかを示すものであり、好ましくは、ＤとＵとＳ（それぞれ下りリンクサブフレーム、上りリンクサブフレーム、および、スペシャルサブフレームを示す）の長さ１０となる任意の組み合わせで表現される。より好ましくは、先頭（つまりサブフレーム＃０）がＤで、２番目（つまりサブフレーム＃１）がＳである。
【００８５】
図７は、本実施形態におけるＵＬ−ＤＬ設定の一例を示す表である。図７において、Ｄは下りリンクサブフレームを示し、Ｕは上りリンクサブフレームを示し、Ｓはスペシャルサブフレームを示す。
【００８６】
第１または第２のＵＬ参照ＵＬ−ＤＬ設定としてＵＬ−ＤＬ設定ｉがセットされることを、第１または第２のＵＬ参照ＵＬ−ＤＬ設定ｉがセットされると称する。第１または第２のＤＬ参照ＵＬ−ＤＬ設定としてＵＬ−ＤＬ設定ｉがセットされることを、第１または第２のＤＬ参照ＵＬ−ＤＬ設定ｉがセットされると称する。送信方向ＵＬ−ＤＬ設定としてＵＬ−ＤＬ設定ｉがセットされることを、送信方向ＵＬ−ＤＬ設定ｉがセットされると称する。
【００８７】
以下、第１のＵＬ参照ＵＬ−ＤＬ設定、第１のＤＬ参照ＵＬ−ＤＬ設定、および、送信方向ＵＬ−ＤＬ設定にセッティング方法ついて説明する。
【００８８】
基地局装置３は、第１のＵＬ参照ＵＬ−ＤＬ設定、第１のＤＬ参照ＵＬ−ＤＬ設定、および、送信方向ＵＬ−ＤＬ設定を決定する。基地局装置３は、第１のＵＬ参照ＵＬ−ＤＬ設定を示す第１の情報（TDD-Config）、第１のＤＬ参照ＵＬ−ＤＬ設定を示す第２の情報、および、送信方向ＵＬ−ＤＬ設定を示す第３の情報を、端末装置１に送信する。
【００８９】
複数のサービングセルのそれぞれに対して、第１のＵＬ参照ＵＬ−ＤＬ設定、第２のＵＬ参照ＵＬ−ＤＬ設定、第１のＤＬ参照ＵＬ−ＤＬ設定、第２のＤＬ参照ＵＬ−ＤＬ設定、および、送信方向ＵＬ−ＤＬ設定が定義されてもよい。
【００９０】
基地局装置３は、サービングセルのそれぞれに対する、第１の情報、第２の情報、および、第３の情報を、複数のサービングセルが設定された端末装置１に送信する。尚、サービングセルのそれぞれに対して、第１の情報、第２の情報、および、第３の情報が定義されてもよい。
【００９１】
複数のサービングセルが設定された端末装置１は、サービングセルのそれぞれに対して、第１の情報、第２の情報、および、第３の情報に基づいて、第１のＵＬ参照ＵＬ−ＤＬ設定、第１のＤＬ参照ＵＬ−ＤＬ設定、および、送信方向ＤＬ−ＵＬ設定をセットしてもよい。
【００９２】
プライマリーセルに対する第１の情報は、システムインフォメーションブロックタイプ１メッセージ、または、ＲＲＣメッセージに含まれることが好ましい。セカンダリーセルに対する第１の情報は、ＲＲＣメッセージに含まれることが好ましい。プライマリーセルに対する第２の情報は、ＲＲＣメッセージに含まれることが好ましい。セカンダリーセルに対する第２の情報は、ＲＲＣメッセージに含まれることが好ましい。プライマリーセルに対する第３の情報は、ＤＣＩフォーマット５に含まれることが好ましい。セカンダリーセルに対する第３の情報は、ＤＣＩフォーマット５に含まれることが好ましい。
【００９３】
システムインフォメーションブロックタイプ１メッセージは、SFN mod 8 = 0を満たす無線フレームのサブフレーム５においてＰＤＳＣＨを介して初期送信が行われ、SFN mod 2= 0を満たす他の無線フレームにおけるサブフレーム５において再送信（repetition）が行なわれる。システムインフォメーションブロックタイプ１メッセージは、スペシャルサブフレームの構成（ＤｗＰＴＳ、ＧＰ、およびＵｐＰＴＳの長さ）を示す情報を含む。システムインフォメーションブロックタイプ１メッセージは、セル固有の情報である。
【００９４】
ＲＲＣメッセージはＰＤＳＣＨを介して伝送される。ＲＲＣメッセージは、ＲＲＣ層において処理される情報／信号である。ＲＲＣメッセージは、セル内の複数の端末装置１に対して共通であってもよいし、特定の端末装置１に対して専用であってもよい。
【００９５】
以下、第１のＵＬ参照ＵＬ−ＤＬ設定、および、第１のＤＬ参照ＵＬ−ＤＬ設定のセッティング方法について説明する。
【００９６】
図８は、本実施形態における第１のＵＬ参照ＵＬ−ＤＬ設定および第１のＤＬ参照ＵＬ−ＤＬ設定のセッティング方法を示すフロー図である。端末装置１は、複数のサービングセルのそれぞれに対して、図８におけるセッティング方法を実行する。
【００９７】
端末装置１は、あるサービングセルに対して、第１の情報に基づいて第１のＵＬ参照ＵＬ−ＤＬ設定をセットする（Ｓ８００）。端末装置１は、該あるサービングセルに対する第２の情報を受信しているかどうかを判断する（Ｓ８０２）。端末装置１は、該あるサービングセルに対する第２の情報を受信している場合は、該あるサービングセルに対して、該あるサービングセルに対する第２の情報に基づいて第１のＤＬ参照ＵＬ−ＤＬ設定をセットする（Ｓ８０６）。端末装置１は、該あるサービングセルに対する第２の情報を受信していない場合は（else/otherwise）、該あるサービングセルに対して、該あるサービングセルに対する第１の情報に基づいて第１のＤＬ参照ＵＬ−ＤＬ設定をセットする（Ｓ８０４）。
【００９８】
第１の情報に基づいて第１のＵＬ参照ＵＬ−ＤＬ設定および第１のＤＬ参照ＵＬ−ＤＬ設定がセットされているサービングセルを、ダイナミックＴＤＤが設定されていないサービングセルとも称する。第２の情報に基づいて第１のＤＬ参照ＵＬ−ＤＬ設定がセットされているサービングセルを、ダイナミックＴＤＤが設定されているサービングセルとも称する。
【００９９】
また、あるサービングセルに対する第２の情報を受信していない場合は、第１のＵＬ参照ＵＬ−ＤＬ設定および第１のＤＬ参照ＵＬ−ＤＬ設定は定義されなくてもよい。端末装置１は、あるサービングセルに対する第２の情報を受信していない場合は、該あるサービングセルに対して、該あるサービングセルに対する第１の情報に基づいて１つのＵＬ−ＤＬ設定をセットしてもよい。
【０１００】
第１のＵＬ参照ＵＬ−ＤＬ設定は、サービングセルにおいて、上りリンクの送信が可能または不可能なサブフレームを特定するために少なくとも用いられる。端末装置１は、第１のＵＬ参照ＵＬ−ＤＬ設定によって下りリンクサブフレームとして指示されたサブフレームにおいて上りリンクの送信を行なわない。端末装置１は、第１のＵＬ参照ＵＬ−ＤＬ設定によってスペシャルサブフレームとして指示されたサブフレームのＤｗＰＴＳおよびＧＰにおいて上りリンクの送信を行なわない。
【０１０１】
第１のＤＬ参照ＵＬ−ＤＬ設定は、サービングセルにおいて、下りリンクの送信が可能または不可能なサブフレームを特定するために少なくとも用いられる。端末装置１は、第１のＤＬ参照ＵＬ−ＤＬ設定によって上りリンクサブフレームとして指示されたサブフレームにおいて下りリンクの送信を行なわない。端末装置１は、第１のＤＬ参照ＵＬ−ＤＬ設定によってスペシャルサブフレームとして指示されたサブフレームのＵｐＰＴＳおよびＧＰにおいて下りリンクの送信を行なわない。
【０１０２】
第１の情報に基づいて第１のＤＬ参照ＵＬ−ＤＬ設定をセットしている端末装置１は、第１のＵＬ参照ＵＬ−ＤＬ設定または第１のＤＬ参照ＵＬ−ＤＬ設定によって指示された下りリンクサブフレームまたはスペシャルサブフレームのＤｗＰＴＳにおいて下りリンクの信号を用いた測定（例えば、チャネル状態情報に関する測定）を行なってもよい。
【０１０３】
以下、第２のＵＬ参照ＵＬ−ＤＬ設定のセッティング方法について説明する。
【０１０４】
端末装置１に対して複数のサービングセルが設定されており、少なくとも２つのサービングセルに対する第１のＵＬ参照ＵＬ−ＤＬ設定が異なる場合に、端末装置１および基地局装置３は第２のＵＬ参照ＵＬ−ＤＬ設定をセットする。
【０１０５】
端末装置１に対して複数のサービングセルが設定されており、少なくとも２つのサービングセルに対する第１のＵＬ参照ＵＬ−ＤＬ設定が異なる場合以外は、端末装置１および基地局装置３は第２のＵＬ参照ＵＬ−ＤＬ設定をセットしなくてもよい。
【０１０６】
少なくとも２つのサービングセルに対する第１のＵＬ参照ＵＬ−ＤＬ設定が異なる場合以外は、全てのサービングセルに対する第１のＵＬ参照ＵＬ−ＤＬ設定が同じ場合である。端末装置１に対して１つのサービングセルが設定されている場合は、端末装置１および基地局装置３は第２のＵＬ参照ＵＬ−ＤＬ設定をセットしなくてもよい。
【０１０７】
図９は、本実施形態における第２のＵＬ参照ＵＬ−ＤＬ設定のセッティング方法を示すフロー図である。図９において、端末装置１に対して、１つのプライマリーセルと１つのセカンダリーセルが設定されている。端末装置１は、プライマリーセルおよびセカンダリーセルのそれぞれに対して、図９におけるセッティング方法を実行する。
【０１０８】
端末装置１は、プライマリーセルに対する第１のＵＬ参照ＵＬ−ＤＬ設定およびセカンダリーセルに対する第１のＵＬ参照ＵＬ−ＤＬ設定が異なるかどうかを判断する（Ｓ９００）。端末装置１は、プライマリーセルに対する第１のＵＬ参照ＵＬ−ＤＬ設定およびセカンダリーセルに対する第１のＵＬ参照ＵＬ−ＤＬ設定が同じ場合は、第２のＵＬ参照ＵＬ−ＤＬ設定をセットせずに、第２のＵＬ参照ＵＬ−ＤＬ設定のセッティング処理を終了する。
【０１０９】
端末装置１は、プライマリーセルに対する第１のＵＬ参照ＵＬ−ＤＬ設定およびセカンダリーセルに対する第１のＵＬ参照ＵＬ−ＤＬ設定が異なる場合は、サービングセルがプライマリーセルであるか、セカンダリーセルであるか、および／または、他のサービングセルにおいて、サービングセルに対応しＣＩＦ（Carrier Indicator Field）をともなうＰＤＣＣＨ／ＥＰＤＣＣＨをモニタするように設定されているかを判断する（Ｓ９０２）。
【０１１０】
サービングセルがセカンダリーセルであり、端末装置１が他のサービングセル（プライマリーセル）において、サービングセル（セカンダリーセル）に対応しＣＩＦをともなうＰＤＣＣＨ／ＥＰＤＣＣＨをモニタするように設定されている場合は、他のサービングセル（プライマリーセル）に対する第１のＵＬ参照ＵＬ−ＤＬ設定、および、サービングセル（セカンダリーセル）に対する第１のＵＬ参照ＵＬ−ＤＬ設定によって形成されるペアに基づいて、サービングセル（セカンダリーセル）に対する第２のＵＬ参照ＵＬ−ＤＬ設定をセットする（Ｓ９０４）。
【０１１１】
Ｓ９０４において、端末装置１は、図１０の表に基づいて、サービングセル（セカンダリーセル）に対する第２のＵＬ参照ＵＬ−ＤＬ設定をセットする。図１０は、本実施形態における他のサービングセル（プライマリーセル）に対する第１のＵＬ参照ＵＬ−ＤＬ設定、および、サービングセル（セカンダリーセル）に対する第１のＵＬ参照ＵＬ−ＤＬ設定によって形成されるペア、および、セカンダリーセルに対する第２のＵＬ参照ＵＬ−ＤＬ設定の対応を示す図である。
【０１１２】
図１０において、プライマリーセルＵＬ−ＤＬ設定は、他のサービングセル（プライマリーセル）に対する第１のＵＬ参照ＵＬ−ＤＬ設定を参照する。図１０において、セカンダリーセルＵＬ−ＤＬ設定は、サービングセル（セカンダリーセル）に対する第１のＵＬ参照ＵＬ−ＤＬ設定を参照する。
【０１１３】
例えば、他のサービングセル（プライマリーセル）に対して第１のＵＬ参照ＵＬ−ＤＬ設定０をセットし、サービングセル（セカンダリーセル）に対して第１のＵＬ参照ＵＬ−ＤＬ設定２をセットしている場合は、セカンダリーセルに対して第２のＵＬ参照ＵＬ−ＤＬ設定１をセットする。
【０１１４】
サービングセルがプライマリーセルである、または、サービングセルがセカンダリーセルであり、端末装置１が他のサービングセル（プライマリーセル）において、サービングセル（セカンダリーセル）に対応しＣＩＦをともなうＰＤＣＣＨ／ＥＰＤＣＣＨをモニタするように設定されていない場合は、サービングセルに対する第１のＵＬ参照ＵＬ−ＤＬ設定を、サービングセルに対する第２のＵＬ参照ＵＬ−ＤＬ設定にセットする（Ｓ９０６）。
【０１１５】
基地局装置３は、図９のセッティング方法に基づいて、第２のＵＬ参照ＵＬ−ＤＬ設定をセットする。
【０１１６】
ＣＩＦをともなうＰＤＣＣＨ／ＥＰＤＣＣＨをモニタすることは、ＣＩＦを含むＤＣＩフォーマットに応じてＰＤＣＣＨまたはＥＰＤＣＣＨのデコードを試みることを意味する。ＣＩＦは、キャリアインディケータがマップされるフィールドである。キャリアインディケータの値は、該キャリアインディケータが関連するＤＣＩフォーマットが対応するサービングセルを示す。
【０１１７】
他のサービングセルにおいて、サービングセルに対応しＣＩＦをともなうＰＤＣＣＨ／ＥＰＤＣＣＨをモニタするように設定されている端末装置１は、該他のサービングセルにおいてＣＩＦをともなうＰＤＣＣＨ／ＥＰＤＣＣＨをモニタする。
【０１１８】
他のサービングセルにおいて、サービングセルに対応しＣＩＦをともなうＰＤＣＣＨ／ＥＰＤＣＣＨをモニタするように設定されている端末装置１は、該他のサービングセルにおいて、該サービングセルに対する第３の情報をＰＤＣＣＨ／ＥＰＤＣＣＨを介して受信することが好ましい。
【０１１９】
他のサービングセルにおいて、サービングセルに対応しＣＩＦをともなうＰＤＣＣＨ／ＥＰＤＣＣＨをモニタするように設定されていない端末装置１は、該サービングセルにおいてＣＩＦをともなう、または、ＣＩＦをともなわないＰＤＣＣＨ／ＥＰＤＣＣＨをモニタする。
【０１２０】
他のサービングセルにおいて、サービングセルに対応しＣＩＦをともなうＰＤＣＣＨ／ＥＰＤＣＣＨをモニタするように設定されていない端末装置１は、該サービングセルにおいて、該サービングセルに対する第３の情報をＰＤＣＣＨ／ＥＰＤＣＣＨを介して受信することが好ましい。
【０１２１】
プライマリーセルに対するＰＤＣＣＨ／ＥＰＤＣＣＨは、プライマリーセルにおいて送信される。プライマリーセルに対する第３の情報は、プライマリーセルのＰＤＣＣＨ／ＥＰＤＣＣＨを介して送信されることが好ましい。
【０１２２】
基地局装置３は、プライマリーセルにおいて送信されるＤＣＩフォーマットにＣＩＦが含まれるかどうかを示すパラメータ（cif-Presence-r10）を、端末装置１に送信する。
【０１２３】
基地局装置３は、セカンダリーセルのそれぞれに対して、クロスキャリアスケジューリングに関連するパラメータ（CrossCarrierSchedulingConfig-r10）を、端末装置１に送信する。
【０１２４】
パラメータ（CrossCarrierSchedulingConfig-r10）は、関連するセカンダリーセルに対応するＰＤＣＣＨ／ＥＰＤＣＣＨが、該セカンダリーセルで送信されるか、他のサービングセルで送信されるかを示すパラメータ（schedulingCellInfo-r10）を含む。
【０１２５】
パラメータ（schedulingCellInfo-r10）が、関連するセカンダリーセルに対応するＰＤＣＣＨ／ＥＰＤＣＣＨが該セカンダリーセルで送信されることを示している場合、パラメータ（schedulingCellInfo-r10）は、該セカンダリーセルにおいて送信されるＤＣＩフォーマットにＣＩＦが含まれるかどうかを示すパラメータ（cif-Presence-r10）を含む。
【０１２６】
パラメータ（schedulingCellInfo-r10）が、関連するセカンダリーセルに対応するＰＤＣＣＨ／ＥＰＤＣＣＨが他のサービングセルで送信されることを示している場合、パラメータ（schedulingCellInfo-r10）は、関連する前記セカンダリーセルに対する下りリンク割り当てが何れのサービングセルで送られるかを示すパラメータ（schedulingCellId）を含む。
【０１２７】
以下、第２のＤＬ参照ＵＬ−ＤＬ設定のセッティング方法について説明する。
【０１２８】
端末装置１に対して複数のサービングセルが設定されており、少なくとも２つのサービングセルに対する第１のＤＬ参照ＵＬ−ＤＬ設定が異なる場合に、端末装置１および基地局装置３は第２のＤＬ参照ＵＬ−ＤＬ設定をセットする。端末装置１に対して複数のサービングセルが設定されており、少なくとも２つのサービングセルに対する第１のＤＬ参照ＵＬ−ＤＬ設定が異なる場合以外は、端末装置１および基地局装置３は第２のＤＬ参照ＵＬ−ＤＬ設定をセットしなくてもよい。
【０１２９】
少なくとも２つのサービングセルに対する第１のＤＬ参照ＵＬ−ＤＬ設定が異なる場合以外は、全てのサービングセルに対する第１のＤＬ参照ＵＬ−ＤＬ設定が同じ場合である。端末装置１に対して１つのサービングセルが設定されている場合は、端末装置１および基地局装置３は第２のＤＬ参照ＵＬ−ＤＬ設定をセットしなくてもよい。
【０１３０】
図１１は、本実施形態における第２のＤＬ参照ＵＬ−ＤＬ設定のセッティング方法を示すフロー図である。図１１において、端末装置１に対して、１つのプライマリーセルと１つのセカンダリーセルが設定されている。端末装置１は、プライマリーセルおよびセカンダリーセルのそれぞれに対して、図１１におけるセッティング方法を実行する。
【０１３１】
端末装置１は、プライマリーセルに対する第１のＤＬ参照ＵＬ−ＤＬ設定およびセカンダリーセルに対する第１のＤＬ参照ＵＬ−ＤＬ設定が異なるかどうかを判断する（Ｓ１１００）。端末装置１は、プライマリーセルに対する第１のＤＬ参照ＵＬ−ＤＬ設定およびセカンダリーセルに対する第１のＤＬ参照ＵＬ−ＤＬ設定が同じ場合は、第２のＤＬ参照ＵＬ−ＤＬ設定をセットせずに、第２のＤＬ参照ＵＬ−ＤＬ設定のセッティング処理を終了する。
【０１３２】
端末装置１は、プライマリーセルに対する第１のＤＬ参照ＵＬ−ＤＬ設定およびセカンダリーセルに対する第１のＤＬ参照ＵＬ−ＤＬ設定が異なる場合は、サービングセルがプライマリーセルであるか、セカンダリーセルであるかを判断する（Ｓ１１０２）。
【０１３３】
サービングセルがセカンダリーセルである場合は、他のサービングセル（プライマリーセル）に対する第１のＤＬ参照ＵＬ−ＤＬ設定、および、サービングセル（セカンダリーセル）に対する第１のＤＬ参照ＵＬ−ＤＬ設定によって形成されるペアに基づいて、サービングセル（セカンダリーセル）に対する第２のＵＬ参照ＵＬ−ＤＬ設定をセットする（Ｓ１１０４）。
【０１３４】
Ｓ１１０４において、端末装置１は、図１２の表に基づいて、サービングセル（セカンダリーセル）に対する第２のＤＬ参照ＵＬ−ＤＬ設定をセットする。図１２は、本実施形態におけるプライマリーセルに対する第１のＤＬ参照ＵＬ−ＤＬ設定、および、セカンダリーセルに対する第１のＤＬ参照ＵＬ−ＤＬ設定によって形成されるペア、および、セカンダリーセルに対する第２のＤＬ参照ＵＬ−ＤＬ設定の対応を示す図である。
【０１３５】
図１２において、プライマリーセルＵＬ−ＤＬ設定は、プライマリーセルに対する第１のＤＬ参照ＵＬ−ＤＬ設定を参照する。図１２において、セカンダリーセルＵＬ−ＤＬ設定は、セカンダリーセルに対する第１のＤＬ参照ＵＬ−ＤＬ設定を参照する。
【０１３６】
プライマリーセルに対する第１のＤＬ参照ＵＬ−ＤＬ設定、および、セカンダリーセルに対する第１のＤＬ参照ＵＬ−ＤＬ設定によって形成されるペアが、図１２のセット１に属する場合は、セカンダリーセルに対する第２のＤＬ参照ＵＬ−ＤＬ設定はセット１において定義されている。
【０１３７】
端末装置１がプライマリーセルにおいて、セカンダリーセルに対応しＣＩＦをともなうＰＤＣＣＨ／ＥＰＤＣＣＨをモニタするように設定されておらず、プライマリーセルに対する第１のＤＬ参照ＵＬ−ＤＬ設定、および、セカンダリーセルに対する第１のＤＬ参照ＵＬ−ＤＬ設定によって形成されるペアが、図１２のセット２に属する場合は、セカンダリーセルに対する第２のＤＬ参照ＵＬ−ＤＬ設定はセット２において定義されている。
【０１３８】
端末装置１がプライマリーセルにおいて、セカンダリーセルに対応しＣＩＦをともなうＰＤＣＣＨ／ＥＰＤＣＣＨをモニタするように設定されておらず、プライマリーセルに対する第１のＤＬ参照ＵＬ−ＤＬ設定、および、セカンダリーセルに対する第１のＤＬ参照ＵＬ−ＤＬ設定によって形成されるペアが、図１２のセット３に属する場合は、セカンダリーセルに対する第２のＤＬ参照ＵＬ−ＤＬ設定はセット３において定義されている。
【０１３９】
端末装置１がプライマリーセルにおいて、セカンダリーセルに対応しＣＩＦをともなうＰＤＣＣＨ／ＥＰＤＣＣＨをモニタするように設定されており、プライマリーセルに対する第１のＤＬ参照ＵＬ−ＤＬ設定、および、セカンダリーセルに対する第１のＤＬ参照ＵＬ−ＤＬ設定によって形成されるペアが、図１２のセット４に属する場合は、セカンダリーセルに対する第２のＤＬ参照ＵＬ−ＤＬ設定はセット４において定義されている。
【０１４０】
端末装置１がプライマリーセルにおいて、セカンダリーセルに対応しＣＩＦをともなうＰＤＣＣＨ／ＥＰＤＣＣＨをモニタするように設定されており、プライマリーセルに対する第１のＤＬ参照ＵＬ−ＤＬ設定、および、セカンダリーセルに対する第１のＤＬ参照ＵＬ−ＤＬ設定によって形成されるペアが、図１２のセット５に属する場合は、セカンダリーセルに対する第２のＤＬ参照ＵＬ−ＤＬ設定はセット５において定義されている。
【０１４１】
例えば、プライマリーセルに対して第１のＤＬ参照ＵＬ−ＤＬ設定１をセットし、セカンダリーセルに対して第１のＤＬ参照ＵＬ−ＤＬ設定０をセットしている場合は、セカンダリーセルに対して第２のＤＬ参照ＵＬ−ＤＬ設定１をセットする。
【０１４２】
サービングセルがプライマリーセルである場合は、サービングセル（プライマリーセル）に対する第１のＤＬ参照ＵＬ−ＤＬ設定を、サービングセル（プライマリーセル）に対する第２のＤＬ参照ＵＬ−ＤＬ設定にセットする（Ｓ１１０６）。
【０１４３】
尚、基地局装置３は、図１１のセッティング方法に基づいて、第２のＤＬ参照ＵＬ−ＤＬ設定をセットする。
【０１４４】
第１のＵＬ参照ＵＬ−ＤＬ設定と第２のＵＬ参照ＵＬ−ＤＬ設定をＵＬ参照ＵＬ−ＤＬ設定と称し、第１のＤＬ参照ＵＬ−ＤＬ設定と第２のＤＬ参照ＵＬ−ＤＬ設定をＤＬ参照ＵＬ−ＤＬ設定と称する。
【０１４５】
以下、１つのプライマリーセルが設定されている場合、または、１つのプライマリーセルおよび１つのセカンダリーセルが設定され、プライマリーセルに対する第１のＵＬ参照ＵＬ−ＤＬ設定およびセカンダリーセルに対する第１のＵＬ参照ＵＬ−ＤＬ設定が同じ場合は、ＵＬ参照ＵＬ−ＤＬ設定は第１のＵＬ参照ＵＬ−ＤＬ設定である。
【０１４６】
また、１つのプライマリーセルおよび１つのセカンダリーセルが設定され、プライマリーセルに対する第１のＵＬ参照ＵＬ−ＤＬ設定およびセカンダリーセルに対する第１のＵＬ参照ＵＬ−ＤＬ設定が異なる場合は、ＵＬ参照ＵＬ−ＤＬ設定は第２のＵＬ参照ＵＬ−ＤＬ設定である。
【０１４７】
また、１つのプライマリーセルが設定されている場合、または、１つのプライマリーセルおよび１つのセカンダリーセルが設定され、プライマリーセルに対する第１のＤＬ参照ＵＬ−ＤＬ設定およびセカンダリーセルに対する第１のＤＬ参照ＵＬ−ＤＬ設定が同じ場合は、ＤＬ参照ＵＬ−ＤＬ設定は第１のＤＬ参照ＵＬ−ＤＬ設定である。
【０１４８】
また、１つのプライマリーセルおよび１つのセカンダリーセルが設定され、プライマリーセルに対する第１のＤＬ参照ＵＬ−ＤＬ設定およびセカンダリーセルに対する第１のＤＬ参照ＵＬ−ＤＬ設定が異なる場合は、ＤＬ参照ＵＬ−ＤＬ設定は第２のＤＬ参照ＵＬ−ＤＬ設定である。
【０１４９】
ＵＬ参照ＵＬ−ＤＬ設定によって上りリンクサブフレームとして指示され、ＤＬ参照ＵＬ−ＤＬ設定によって下りリンクサブフレームとして指示されたサブフレームを、第１のフレキシブルサブフレームとも称する。第１のフレキシブルサブフレームは、上りリンクおよび下りリンクの送信のためにリザーブされるサブフレームである。すなわち、第１のフレキシブルサブフレームは、上りリンクサブフレーム、または、下りリンクサブフレームとして用いられるサブフレームである。
【０１５０】
ＵＬ参照ＵＬ−ＤＬ設定によってスペシャルサブフレームとして指示され、ＤＬ参照ＵＬ−ＤＬ設定によって下りリンクサブフレームとして指示されたサブフレームを、第２のフレキシブルサブフレームとも称する。第２のフレキシブルサブフレームは、下りリンクの送信のためにリザーブされるサブフレームである。第２のフレキシブルサブフレームは、ＤｗＰＴＳにおける下りリンクの送信およびＵｐＰＴＳにおける上りリンクの送信のためにリザーブされるサブフレームである。すなわち、第２のフレキシブルサブフレームは、下りリンクサブフレーム、または、スペシャルサブフレームとして用いられるサブフレームである。
【０１５１】
以下、ＵＬ参照ＵＬ−ＤＬ設定について詳細に説明する。
【０１５２】
ＵＬ参照ＵＬ−ＤＬ設定は、ＰＤＣＣＨ／ＥＰＤＣＣＨ／ＰＨＩＣＨが配置されるサブフレームｎと前記ＰＤＣＣＨ／ＥＰＤＣＣＨ／ＰＨＩＣＨが対応するＰＵＳＣＨが配置されるサブフレームｎ＋ｋとの対応を特定（選択、決定）するために用いられる。
【０１５３】
複数のサービングセルが設定される場合は、複数のサービングセルのそれぞれにおいて、対応するＵＬ参照ＵＬ−ＤＬ設定が、ＰＤＣＣＨ／ＥＰＤＣＣＨ／ＰＨＩＣＨが配置されるサブフレームと前記ＰＤＣＣＨ／ＥＰＤＣＣＨ／ＰＨＩＣＨが対応するＰＵＳＣＨが配置されるサブフレームとの対応を決定するために用いられる。
【０１５４】
図１３は、本実施形態におけるＰＤＣＣＨ／ＥＰＤＣＣＨ／ＰＨＩＣＨが配置されるサブフレームｎと前記ＰＤＣＣＨ／ＥＰＤＣＣＨ／ＰＨＩＣＨが対応するＰＵＳＣＨが配置されるサブフレームｎ＋ｋとの対応を示す図である。端末装置１は、図１３の表に従ってｋの値を特定（選択、決定）する。
【０１５５】
以下、図１３の説明において、ＵＬ参照ＵＬ−ＤＬ設定を単にＵＬ−ＤＬ設定と称する。
【０１５６】
図１３において、１つのプライマリーセルが設定されている場合、または、１つのプライマリーセルおよび１つのセカンダリーセルが設定され、プライマリーセルに対する第１のＵＬ参照ＵＬ−ＤＬ設定およびセカンダリーセルに対する第１のＵＬ参照ＵＬ−ＤＬ設定が同じ場合は、ＵＬ−ＤＬ設定は第１のＵＬ参照ＵＬ−ＤＬ設定を参照する。
【０１５７】
図１３において、１つのプライマリーセルおよび１つのセカンダリーセルが設定され、プライマリーセルに対する第１のＵＬ参照ＵＬ−ＤＬ設定およびセカンダリーセルに対する第１のＵＬ参照ＵＬ−ＤＬ設定が異なる場合は、ＵＬ−ＤＬ設定は第２のＵＬ参照ＵＬ−ＤＬ設定を参照する。
【０１５８】
端末装置１は、サブフレームｎにおいて、ＵＬ−ＤＬ設定１から６がセットされているサービングセルに対応し、端末装置１を対象とする上りリンクグラントをともなうＰＤＣＣＨ／ＥＰＤＣＣＨの検出をした場合に、図１３の表に基づいて特定（選択、決定）されるサブフレームｎ＋ｋにおいて該上りリンクグラントに応じたＰＵＳＣＨ送信を行なう。
【０１５９】
端末装置１は、サブフレームｎにおいて、ＵＬ−ＤＬ設定１から６がセットされているサービングセルに対応し、端末装置１を対象とするＮＡＣＫをともなうＰＨＩＣＨの検出をした場合に、図１３の表に基づいて特定（選択、決定）されるサブフレームｎ＋ｋにおいてＰＵＳＣＨ送信を行なう。
【０１６０】
ＵＬ−ＤＬ設定０が設定されたサービングセルに対応し、端末装置１を対象とする上りリンクグラントには、２ビットの上りリンクインデックス（UL index）が含まれる。ＵＬ−ＤＬ設定１から６が設定されたサービングセルに対応し、端末装置１を対象とする上りリンクグラントには、上りリンクインデックス（UL index）は含まれない。
【０１６１】
端末装置１は、サブフレームｎにおいて、ＵＬ−ＤＬ設定０がセットされているサービングセルに対応する上りリンクグラントに含まれる上りリンクインデックスのＭＳＢ（Most Significant Bit）が１にセットされている場合には、図１３の表に基づいて特定（選択、決定）されるサブフレームｎ＋ｋにおいて該上りリンクグラントに応じたＰＵＳＣＨ送信を調整する。
【０１６２】
端末装置１は、サブフレームｎ＝０または５における第１のリソースセットにおいて、ＵＬ−ＤＬ設定０がセットされているサービングセルに対応するＮＡＣＫをともなうＰＨＩＣＨを受信した場合には、図１３の表に基づいて特定（選択、決定）されるサブフレームｎ＋ｋにおいて該ＰＨＩＣＨに応じたＰＵＳＣＨ送信を調整する。
【０１６３】
端末装置１は、サブフレームｎにおいて、ＵＬ−ＤＬ設定０がセットされているサービングセルに対応する上りリンクグラントに含まれる上りリンクインデックスのＬＳＢ（Least Significant Bit）が１にセットされている場合には、サブフレームｎ＋７において該上りリンクグラントに応じたＰＵＳＣＨ送信を調整する。
【０１６４】
端末装置１は、サブフレームｎ＝０または５における第２のリソースセットにおいて、ＵＬ−ＤＬ設定０がセットされているサービングセルに対応するＮＡＣＫをともなうＰＨＩＣＨを受信した場合には、サブフレームｎ＋７において該上りリンクグラントに応じたＰＵＳＣＨ送信を調整する。
【０１６５】
端末装置１は、サブフレームｎ＝１または６において、ＵＬ−ＤＬ設定０がセットされているサービングセルに対応するＮＡＣＫをともなうＰＨＩＣＨを受信した場合には、サブフレームｎ＋７において該上りリンクグラントに応じたＰＵＳＣＨ送信を調整する。
【０１６６】
例えば、端末装置１は、[ＳＦＮ＝ｍ、サブフレーム１]において、ＵＬ−ＤＬ設定０がセットされているサービングセルに対応するＰＤＣＣＨ／ＥＰＤＣＣＨ／ＰＨＩＣＨを検出した場合に、６つ後のサブフレーム[ＳＦＮ＝ｍ、サブフレーム７]においてＰＵＳＣＨの送信を調整する。
【０１６７】
ＵＬ参照ＵＬ−ＤＬ設定は、ＰＵＳＣＨが配置されるサブフレームｎと前記ＰＵＳＣＨが対応するＰＨＩＣＨが配置されるサブフレームｎ＋ｋとの対応を特定（選択、決定）するために用いられる。
【０１６８】
複数のサービングセルが設定される場合は、複数のサービングセルのそれぞれにおいて、対応するＵＬ参照ＵＬ−ＤＬ設定が、ＰＵＳＣＨが配置されるサブフレームｎと前記ＰＵＳＣＨが対応するＰＨＩＣＨが配置されるサブフレームｎ＋ｋとの対応を特定（選択、決定）するために用いられる。
【０１６９】
図１４は、本実施形態におけるＰＵＳＣＨが配置されるサブフレームｎと前記ＰＵＳＣＨが対応するＰＨＩＣＨが配置されるサブフレームｎ＋ｋとの対応を示す図である。端末装置１は、図１４の表に従ってｋの値を特定（選択、決定）する。
【０１７０】
以下、図１４の説明において、ＵＬ参照ＵＬ−ＤＬ設定を単にＵＬ−ＤＬ設定と称する。
【０１７１】
図１４において、１つのプライマリーセルが設定されている場合、または、１つのプライマリーセルおよび１つのセカンダリーセルが設定され、プライマリーセルに対する第１のＵＬ参照ＵＬ−ＤＬ設定およびセカンダリーセルに対する第１のＵＬ参照ＵＬ−ＤＬ設定が同じ場合は、ＵＬ−ＤＬ設定は第１のＵＬ参照ＵＬ−ＤＬ設定を参照する。
【０１７２】
図１４において、１つのプライマリーセルおよび１つのセカンダリーセルが設定され、プライマリーセルに対する第１のＵＬ参照ＵＬ−ＤＬ設定およびセカンダリーセルに対する第１のＵＬ参照ＵＬ−ＤＬ設定が異なる場合は、ＵＬ−ＤＬ設定は第２のＵＬ参照ＵＬ−ＤＬ設定を参照する。
【０１７３】
端末装置１は、サブフレームｎにおいてＰＵＳＣＨ送信がスケジュールされた場合には、図１４の表から特定されるサブフレームｎ＋ｋにおいてＰＨＩＣＨリソースを決定する。
【０１７４】
例えば、ＵＬ−ＤＬ設定０がセットされているサービングセルに対して、[ＳＦＮ=ｍ、サブフレームｎ＝２]においてＰＵＳＣＨ送信がスケジュールされた場合には、[ＳＦＮ=ｍ、サブフレームｎ＝６]においてＰＨＩＣＨリソースが決定される。
【０１７５】
以下、ＤＬ参照ＵＬ−ＤＬ設定について詳細に説明する。
【０１７６】
ＤＬ参照ＵＬ−ＤＬ設定は、ＰＤＳＣＨが配置されるサブフレームｎと前記ＰＤＳＣＨに対応するＨＡＲＱ−ＡＣＫが送信されるサブフレームｎ＋ｋとの対応を特定（選択、決定）するために用いられる。
【０１７７】
複数のサービングセルが設定される場合は、複数のサービングセルのそれぞれにおいて、対応するＤＬ参照ＵＬ−ＤＬ設定が、ＰＤＳＣＨが配置されるサブフレームｎと前記ＰＤＳＣＨに対応するＨＡＲＱ−ＡＣＫが送信されるサブフレームｎ＋ｋとの対応を特定（選択、決定）するために用いられる。
【０１７８】
図１５は、本実施形態におけるＰＤＳＣＨが配置されるサブフレームｎ−ｋと前記ＰＤＳＣＨが対応するＨＡＲＱ−ＡＣＫが送信されるサブフレームｎとの対応を示す図である。端末装置１は、図１５の表に従ってｋの値を特定（選択、決定）する。
【０１７９】
以下、図１５の説明において、ＤＬ参照ＵＬ−ＤＬ設定を単にＵＬ−ＤＬ設定と称する。
【０１８０】
図１５において、１つのプライマリーセルが設定されている場合、または、１つのプライマリーセルおよび１つのセカンダリーセルが設定され、プライマリーセルに対する第１のＤＬ参照ＵＬ−ＤＬ設定およびセカンダリーセルに対する第１のＤＬ参照ＵＬ−ＤＬ設定が同じ場合は、ＵＬ−ＤＬ設定は第１のＤＬ参照ＵＬ−ＤＬ設定を参照する。
【０１８１】
図１５において、１つのプライマリーセルおよび１つのセカンダリーセルが設定され、プライマリーセルに対する第１のＤＬ参照ＵＬ−ＤＬ設定およびセカンダリーセルに対する第１のＤＬ参照ＵＬ−ＤＬ設定が異なる場合は、ＵＬ−ＤＬ設定は第２のＤＬ参照ＵＬ−ＤＬ設定を参照する。
【０１８２】
端末装置１は、サービングセルのサブフレームｎ−ｋ（ｋは図１５の表によって特定される）において、端末装置１を対象としており、対応するＨＡＲＱ−ＡＣＫの送信を行なうべきＰＤＳＣＨ送信を検出した場合には、サブフレームｎにおいてＨＡＲＱ−ＡＣＫを送信する。
【０１８３】
例えば、端末装置１は、システムインフォメーションの送信に用いられるＰＤＳＣＨ送信に対するＨＡＲＱ−ＡＣＫの応答を行なわない。例えば、端末装置１は、Ｃ−ＲＮＴＩでスクランブルされたＣＲＣをともなうＤＣＩフォーマットによってスケジュールされたＰＤＳＣＨ送信に対するＨＡＲＱ−ＡＣＫの応答を行なう。
【０１８４】
例えば、端末装置１は、サブフレームｎ＝２において、ＵＬ−ＤＬ設定１がセットされているサービングセルにおけるサブフレームｎ−６および／またはｎ−７において受信したＰＤＳＣＨに対するＨＡＲＱ−ＡＣＫの送信を行なう。
【０１８５】
尚、第２の情報を受信していないサービングセルに対して、第１のＤＬ参照ＵＬ−ＤＬ設定が定義されなくてもよい。この場合は、端末装置１および基地局装置３は、上述した第１のＤＬ参照ＵＬ−ＤＬ設定に基づいて行なわれる処理を、第１のＵＬ参照ＵＬ−ＤＬ設定（サービングセルＵＬ−ＤＬ設定）に基づいて行なってもよい。第２の情報を受信していないサービングセルは、ダイナミックＴＤＤが設定されていないサービングセルである。
【０１８６】
例えば、１つのプライマリーセルおよび１つのセカンダリーセルが設定され、プライマリーセルに対する第２の情報を受信しておらず、セカンダリーセルに対する第２の情報を受信しており、プライマリーセルに対する第１のＵＬ参照ＵＬ−ＤＬ設定（サービングセルＵＬ−ＤＬ設定）およびセカンダリーセルに対する第１のＤＬ参照ＵＬ−ＤＬ設定が異なり、サービングセルがセカンダリーセルである場合は、他のサービングセル(プライマリーセル）に対する第１のＵＬ参照ＵＬ−ＤＬ設定、および、サービングセル（セカンダリーセル）に対する第１のＤＬ参照ＵＬ−ＤＬ設定によって形成されるペアに基づいて、サービングセル（セカンダリーセル）に対する第２のＤＬ参照ＵＬ−ＤＬ設定をセットしてもよい。
【０１８７】
例えば、１つのプライマリーセルおよび１つのセカンダリーセルが設定され、プライマリーセルに対する第２の情報を受信しておらず、セカンダリーセルに対する第２の情報を受信しており、プライマリーセルに対する第１のＵＬ参照ＵＬ−ＤＬ設定（サービングセルＵＬ−ＤＬ設定）およびセカンダリーセルに対する第１のＤＬ参照ＵＬ−ＤＬ設定が異なる場合は、２つのサービングセルのそれぞれにおいて、対応する第２のＤＬ参照ＵＬ−ＤＬ設定が、ＰＤＳＣＨが配置されるサブフレームｎと前記ＰＤＳＣＨに対応するＨＡＲＱ−ＡＣＫが送信されるサブフレームｎ＋ｋとの対応を特定（選択、決定）するために用いられてもよい。
【０１８８】
例えば、１つのプライマリーセルおよび１つのセカンダリーセルが設定され、プライマリーセルに対する第２の情報を受信しておらず、セカンダリーセルに対する第２の情報を受信しており、プライマリーセルに対する第１のＵＬ参照ＵＬ−ＤＬ設定（サービングセルＵＬ−ＤＬ設定）およびセカンダリーセルに対する第１のＤＬ参照ＵＬ−ＤＬ設定が同じ場合は、プライマリーセルにおいて、対応する第１のＵＬ参照ＵＬ−ＤＬ設定（サービングセルＵＬ−ＤＬ設定）が、ＰＤＳＣＨが配置されるサブフレームｎと前記ＰＤＳＣＨに対応するＨＡＲＱ−ＡＣＫが送信されるサブフレームｎ＋ｋとの対応を特定（選択、決定）するために用いられ、セカンダリーセルにおいて、対応する第１のＤＬ参照ＵＬ−ＤＬ設定が、ＰＤＳＣＨが配置されるサブフレームｎと前記ＰＤＳＣＨに対応するＨＡＲＱ−ＡＣＫが送信されるサブフレームｎ＋ｋとの対応を特定（選択、決定）するために用いられてもよい。
【０１８９】
例えば、１つのプライマリーセルおよび１つのセカンダリーセルが設定され、プライマリーセルに対する第２の情報を受信しておらず、セカンダリーセルに対する第２の情報を受信しており、プライマリーセルに対する第１のＵＬ参照ＵＬ−ＤＬ設定（サービングセルＵＬ−ＤＬ設定）およびセカンダリーセルに対する第１のＤＬ参照ＵＬ−ＤＬ設定が異なる場合は、図１０および図１２において、プライマリーセルＵＬ−ＤＬ設定は、プライマリーセルに対する第１のＵＬ参照ＵＬ−ＤＬ設定を参照する。
【０１９０】
以下、送信方向ＵＬ−ＤＬ設定のセッティング方法について説明する。
【０１９１】
ＤＣＩフォーマット５は、送信方向設定を示す少なくとも１つの第３の情報の送信のために用いられる。ＤＣＩフォーマット３は、複数の端末装置のそれぞれに対する複数の第３の情報の送信のために用いられてもよい。ＤＣＩフォーマット３は、複数のセルのそれぞれに対する複数の第３の情報の送信のために用いられてもよい。
【０１９２】
基地局装置３は、ＴＤＤ−ＲＮＴＩの値を示す情報、ServCellIndexに対応するパラメータtddconfig-indexを示す情報を含む上位層の信号を、端末装置１に送信する。
【０１９３】
ServCellIndexxは、サービングセルのインデックスである。プライマリーセルのServCellIndexは０である。セカンダリーセルのServCellIndexは、ネットワークによって制御され、１から７の中から選択される。尚、ServCellIndexは、端末装置に対して個別に番号付けされる。すなわち、複数の端末装置のそれぞれに対して、あるセルが異なるServCellIndexに対応していてもよい。
【０１９４】
ＤＣＩフォーマットには、ＣＲＣ（Cyclic Redundancy Check）パリティビットが付加される。ＤＣＩフォーマット５に付加されるＣＲＣパリティビットは、ＴＤＤ−ＲＮＴＩでスクランブルされる。
【０１９５】
端末装置１は、上位層によって与えられるパラメータtddconfig-indexに基づいて、上位層によって与えられるＴＤＤ−ＲＮＴＩによってスクランブルされたＣＲＣパリティビットが付加されたＤＣＩフォーマット５に含まれる、自装置に対する第３の情報を特定する。
【０１９６】
図１６は、本実施形態におけるServCellIndexと第３の情報のインデックスとの対応の設定の一例を示す図である。図１６において、端末装置１Ａと端末装置１Ｂに対して、ＴＤＤ−ＲＮＴＩの値として“１０００００００００００００００”が設定されている。図１６において、端末装置１Ａに対して、ServCellIndex 0とtdd config-index 2が対応している。
【０１９７】
図１７は、本実施形態における第３の情報を含むＤＣＩフォーマット５の一例を示す図である。図１７において、ＤＣＩフォーマット５には、tddconfig-indexが１からＭまでのそれぞれに対応する第３の情報が含まれる。図１７において、端末装置１Ａはtddconfig-index 2の第３の情報がSerCellIndex 0のサービングセル（プライマリーセル）に対応していると判断する。図１７において、端末装置１Ａはtddconfig-index 4の第３の情報がSerCellIndex 1のサービングセル（セカンダリーセル）に対応していると判断する。
【０１９８】
ＤＣＩフォーマット５は、ＣＳＳ（Common Search Space）、または、ＵＳＳ（UE-specific Search Space）において送受信されてもよい。ＣＳＳは、複数の端末装置１が共通してＰＤＣＣＨ／ＥＰＤＣＣＨの監視を行う領域である。ＵＳＳは、少なくともＣ−ＲＮＴＩ（Cell-Radio Network Temporary Identifier）に基づいて定義される領域である。
【０１９９】
基地局装置３は、プライマリーセルのＣＳＳのみでＤＣＩフォーマット５を送信することが好ましい。端末装置１は、プライマリーセルのＣＳＳのみでＤＣＩフォーマット５をモニタすることが好ましい。端末装置１は、プライマリーセルのＣＳＳでＤＣＩフォーマット５に対するＰＤＣＣＨ／ＥＰＤＣＣＨのデコードを試みてもよい。
【０２００】
なお、下りリンクグラントと上りリンクグラントは、ＣＳＳ（Common Search Space）、または、ＵＳＳ（UE-specific Search Space）において送受信されてもよい。下りリンクグラント、または、上りリンクグラントに付加されるＣＲＣパリティビットは、Ｃ−ＲＮＴＩ、または、ＳＰＳ  Ｃ−ＲＮＴＩ（Semi Persistent Scheduling Cell-Radio Network Temporary Identifier）でスクランブルされる。Ｃ−ＲＮＴＩおよびＳＰＳ  Ｃ−ＲＮＴＩは、セル内において端末装置を識別するための識別子である。
【０２０１】
Ｃ−ＲＮＴＩは、単一のサブフレームにおけるＰＤＳＣＨまたはＰＵＳＣＨを制御するために用いられる。ＳＰＳ  Ｃ−ＲＮＴＩは、ＰＤＳＣＨまたはＰＵＳＣＨのリソースを周期的に割り当てるために用いられる。
【０２０２】
基地局装置３は、端末装置１によるＤＣＩフォーマット５のモニタリングの設定に関する設定インデックスＩ（cofiguration index I）を示す情報を、上位層の信号を用いて、端末装置１に送信してもよい。端末装置１は、端末装置１によるＤＣＩフォーマット５のモニタリングの設定に関する情報に基づいて、ＤＣＩフォーマット５をモニタリングするサブフレームを決定してもよい。
【０２０３】
尚、ある端末装置１において、設定インデックスＩは複数のサービングセル間で共通である。
【０２０４】
設定インデックスＩは、周期Ｔ（periodicity T）およびオフセットｋ（offset k; 0≦k＜T）に少なくとも対応する。端末装置１は、上位層の信号に基づいて、周期Ｔとオフセットｋに対応する設定インデックスをセットする。基地局装置３は、該上位層の信号を端末装置１に送信してもよい。すなわち、端末装置１は、上位層の信号を用いて設定インデックスに関する情報を受信し、設定インデックスをセットしてもよい。
【０２０５】
例えば、周期Ｔは、｛１０，２０，４０，８０｝ｍｓの中から選択されてもよい。例えば、オフセットｋは、０以上であり、周期Ｔより小さい。
【０２０６】
端末装置１は、(10・nf+n-k) mod T=0を満たすサブフレームにおいて、少なくとも１つのサービングセルのそれぞれに対応する第３の情報を含むＤＣＩフォーマット５をモニタする。ｎｆ＝｛０，１，…，１０２３｝は、無線フレームインデックス（System Frame Number: SFN）である。ｎ＝｛０，１，…，９｝は、無線フレーム内のサブフレームインデックスである。
【０２０７】
サブフレーム｛m・T, m・T+1,...,(m+1)・T-1｝でＤＣＩフォーマット５を検出した場合に、ＤＣＩフォーマット５に含まれる第３の情報によって示される送信方向ＵＬ−ＤＬ設定の有効期間（valid duration）は、サブフレーム｛m・T, m・T+1,...,(m+1)・T-1｝またはサブフレーム{(m+1)・T, (m+1)・T+1,...,(m+2)・T-1}である。ｍは、０以上の整数である。端末装置１は、有効期間において、第３の情報によって示される送信方向ＵＬ−ＤＬ設定が有効であるとみなす。
【０２０８】
該サブフレーム｛m・T, m・T+1,...,(m+1)・T-1｝を、無線フレーム｛m・T/10, m・T/10+1,...,(m+1)・T/10-1｝と表現してもよい。該サブフレーム{(m+1)・T, (m+1)・T+1,...,(m+2)・T-1}を、無線フレーム{(m+1)・T/10, (m+1)・T/10+1,...,(m+2)・T/10-1}と表現してもよい。
【０２０９】
サブフレーム｛m・T, m・T+1,...,(m+1)・T-1｝でＤＣＩフォーマット５を検出した場合に、サブフレーム｛m・T, m・T+1,...,(m+1)・T-1｝を、Ｃｕｒｒｅｎｔ  ｓｕｂｆｒａｍｅｓ、Ｃｕｒｒｅｎｔ  ｒａｄｉｏ  ｆｒａｍｅ（ｓ）、または、Ｃｕｒｒｅｎｔ  ｄｕｒａｔｉｏｎと称してもよい。
【０２１０】
サブフレーム｛m・T, m・T+1,...,(m+1)・T-1｝でＤＣＩフォーマット５を検出した場合に、サブフレーム{(m+1)・T, (m+1)・T+1,...,(m+2)・T-1}を、Ｎｅｘｔ  ｓｕｂｆｒａｍｅｓ、Ｎｅｘｔ  ｒａｄｉｏ  ｆｒａｍｅ（ｓ）、または、Ｎｅｘｔ  ｄｕｒａｔｉｏｎと称してもよい。
【０２１１】
複数のオフセットｋがセットされる場合、端末装置１は、サブフレーム｛m・T, m・T+1,...,(m+1)・T-1｝のうち複数のサブフレームにおいて、ＤＣＩフォーマット５をモニタしてもよい。
【０２１２】
サブフレーム｛m・T, m・T+1,...,(m+1)・T-1｝のうち複数のサブフレームにおいてＤＣＩフォーマット５が検出された場合には、端末装置１はサブフレーム｛m・T, m・T+1,...,(m+1)・T-1｝において最後に検出したＤＣＩフォーマット５に含まれる第３の情報に基づいて送信方向ＵＬ−ＤＬ設定をセットしてもよい。
【０２１３】
尚、オフセットｋが複数の値を含む場合に、端末装置１はサブフレーム｛m・T, m・T+1,...,(m+1)・T-1｝において、複数のＤＣＩフォーマット５、または、同じセルに対応する複数のＤＣＩフォーマット５の受信を期待しなくてもよい。すなわち、オフセットｋが複数の値を含んでおり、サブフレーム｛m・T, m・T+1,...,(m+1)・T-1｝のうちの１つのサブフレームにおいてＤＣＩフォーマット５が検出された場合には、端末装置１は、オフセットｋが対応する残りのサブフレームにおいてＤＣＩフォーマット５をモニタしなくてもよい。また、端末装置１はサブフレーム｛m・T, m・T+1,...,(m+1)・T-1｝において、あるサービングセルに対して、異なる値の第３の情報（すなわち、異なる送信方向ＵＬ−ＤＬ設定を示す第３の情報）が含まれる複数のＤＣＩフォーマット５の受信を期待しなくてもよい。
【０２１４】
図１８から図２１は、本実施形態における第３の情報を含むＤＣＩフォーマット５のモニタリングに対する設定インデックスの一例を示す図である。図１８において、設定インデックスＩが０の場合、周期Ｔは１０ｍｓであり、オフセットｋは｛０｝であり、サブフレーム｛m・T, m・T+1,...,(m+1)・T-1｝でＤＣＩフォーマット５を検出した場合の有効期間はＣｕｒｒｅｎｔ  ｓｕｂｆｒａｍｅｓである。
【０２１５】
オフセットｋが所定の値よりも小さい値のみを含む場合、有効期間はＣｕｒｒｅｎｔ  ｓｕｂｆｒａｍｅｓであり、オフセットｋが所定の値と同じ、または、それより大きい値を含む場合、有効期間はＮｅｘｔ  ｓｕｂｆｒａｍｅｓであることが好ましい。例えば、所定の値は、１または２などである。
【０２１６】
図１８において、所定の値は２である。図１８において、オフセットｋが｛０｝、｛１｝、または｛０、１｝である場合、有効期間はＣｕｒｒｅｎｔ  ｓｕｂｆｒａｍｅｓであり、それ以外の場合、有効期間はＮｅｘｔ  ｓｕｂｆｒａｍｅｓである。
【０２１７】
すなわち、図１８において、オフセットｋ＝０に対応するサブフレームにおいてＤＣＩフォーマット５が検出された場合に、設定インデックスＩに基づいて、有効期間がＣｕｒｒｅｎｔ  ｓｕｂｆｒａｍｅｓであるか、Ｎｅｘｔ  Ｓｕｂｆｒａｍｅｓであるかが決定される。すなわち、ＤＣＩフォーマット５が検出されたサブフレームに関わらず、設定インデックスＩに基づいて決定されるＤＣＩフォーマット５をモニタリングするサブフレームに応じて、有効期間がＣｕｒｒｅｎｔ  ｓｕｂｆｒａｍｅｓであるか、Ｎｅｘｔ  Ｓｕｂｆｒａｍｅｓであるかが特定されてもよい。すなわち、設定インデックスＩに基づいて決定されるオフセットｋ（オフセットｋが含む少なくとも１つの値）に基づいて、有効期間がＣｕｒｒｅｎｔ  ｓｕｂｆｒａｍｅｓであるか、Ｎｅｘｔ  Ｓｕｂｆｒａｍｅｓであるかが特定されてもよい。
【０２１８】
例えば、図１８において、設定インデックス０であり、オフセットｋ＝０に対応するサブフレームにおいてＤＣＩフォーマット５が検出された場合に、有効期間はＣｕｒｒｅｎｔ  ｓｕｂｆｒａｍｅｓである。また、図１８において、設定インデックス８であり、オフセットｋ＝０に対応するサブフレームにおいてＤＣＩフォーマット５が検出された場合に、有効期間はＮｅｘｔ  ｓｕｂｆｒａｍｅｓである。
【０２１９】
尚、オフセットｋが所定の値よりも小さい値のみを含む場合、有効期間はＣｕｒｒｅｎｔ  ｓｕｂｆｒａｍｅｓであり、オフセットｋが所定の値と同じ、または、それより大きい値のみを含む場合、有効期間はＮｅｘｔ  ｓｕｂｆｒａｍｅｓであってもよい。この場合、ある設定インデックスに対応するオフセットｋは、所定の値よりも小さい値、および、所定の値と同じ、または、それより大きい値を同時に含まないようにすることが好ましい。これにより、ＤＣＩフォーマット５が検出されたサブフレームが対応するオフセットｋの値に基づいて、有効期間がＣｕｒｒｅｎｔ  ｓｕｂｆｒａｍｅｓであるか、Ｎｅｘｔ  Ｓｕｂｆｒａｍｅｓであるかを決定することができる。例えば、所定の値が２であり、オフセットｋ＝０，１が対応するサブフレームにおいてＤＣＩフォーマット５を検出した場合、有効期間はＣｕｒｒｅｎｔ  ｓｕｂｆｒａｍｅｓであってもよい。また、所定の値が２であり、オフセットｋ＞１が対応するサブフレームにおいてＤＣＩフォーマット５を検出した場合、有効期間はＮｅｘｔ  Ｓｕｂｆｒａｍｅｓであってもよい。
【０２２０】
複数の周期Ｔのそれぞれに対して、オフセットｋが｛0+10・j, 1+10・j, 5+10・j, 6+10・j｝（j=0,1,…, (T/10)-1）である第１のスペシャル設定インデックスＩが定義されてもよい。
【０２２１】
すなわち、複数の周期Ｔのそれぞれに対して、サブフレーム｛m・T, m・T+1,...,(m+1)・T-1｝のうち、１０で除算を行った余りが０、１、５、６となる全てのサブフレームのそれぞれを示すオフセットｋに対応する第１のスペシャル設定インデックスＩが定義されてもよい。
【０２２２】
すなわち、サブフレーム｛m・T, m・T+1,...,(m+1)・T-1｝のうち、無線フレーム内のサブフレームインデックスが０、１、５、６である全てのサブフレームのそれぞれを示すオフセットｋに対応する第１のスペシャル設定インデックスＩが定義されてもよい。
【０２２３】
すなわち、第１のスペシャル設定インデックスＩが対応するオフセットｋは、サブフレーム｛m・T, m・T+1,...,(m+1)・T-1｝のそれぞれの要素を10で割ったときの余が０、１、５、６のいずれかとなる要素の全てであってもよい。無線フレーム内のサブフレームインデックスが０、１、５、６のサブフレームは、下りリンクサブフレームまたはスペシャルサブフレームであり、常にＰＤＣＣＨを送信することができるサブフレームである。
【０２２４】
例えば、図１８において、設定インデックスＩ＝８は、周期Ｔ＝１０、オフセットｋ＝｛０、１、５、６｝に対応する。例えば、図１８において、設定インデックスＩ＝２９は、周期Ｔ＝２０、オフセットｋ＝｛０、１、５、６、１０、１１、１５、１６｝に対応する。例えば、図１９において、設定インデックスＩ＝６９は、周期Ｔ＝４０、オフセットｋ＝｛０、１、５、６、１０、１１、１５、１６、２０、２１、２５、２６、３０、３１、３５、３６｝に対応する。例えば、図２１において、設定インデックスＩ＝１４５は、周期Ｔ＝８０、オフセットｋ＝｛０、１、５、６、１０、１１、１５、１６、２０、２１、２５、２６、３０、３１、３５、３６、４０、４１、４５、４６、５０、５１、５５、５６、６０、６１、６５、６６、７０、７１、７５、７６｝に対応する。すなわち、図１８において、設定インデックスＩ＝８、２９、６９、１４５は、第１のスペシャル設定インデックスＩである。
【０２２５】
複数の周期Ｔのそれぞれに対して、サブフレーム｛m・T, m・T+1,...,(m+1)・T-1｝のうち、ＤＣＩフォーマット５をモニタするサービングセルでＰＤＣＣＨを送信することができる全てのサブフレーム（ＰＤＣＣＨを送信することが可能な全てのサブフレーム）におけるＤＣＩフォーマット５のモニタリングに対応する設定インデックス（オフセットｋ）が定義されてもよい。該設定インデックスを第２のスペシャル設定インデックスと称する。
【０２２６】
例えば、サービングセルにおいてＴＤＤが適用される場合、ＰＤＣＣＨを送信することができる全てのサブフレームは、ＵＬ参照ＵＬ−ＤＬ設定で指示されたＤＬサブフレームおよびＵＬ参照ＵＬ−ＤＬ設定で指示されたスペシャルサブフレームであってもよい。すなわち、ＰＤＣＣＨを送信することができる全てのサブフレームは、ＵＬ参照ＵＬ−ＤＬ設定によって、ＤＬサブフレームまたはスペシャルサブフレームとして指示されたサブフレームであってもよい。
【０２２７】
複数の周期Ｔのそれぞれに対して、サブフレーム｛m・T, m・T+1,...,(m+1)・T-1｝のうち、ＵＬ参照ＵＬ−ＤＬ設定で指示されたＤＬサブフレームおよびＵＬ参照ＵＬ−ＤＬ設定で指示されたスペシャルサブフレームの全てにおけるＤＣＩフォーマット５のモニタリングに対応する第２のスペシャル設定インデックスＩ（オフセットｋ）が定義されてもよい。すなわち、端末装置１は、第２のスペシャルインデックスＩ（オフセットｋ）に基づいて、ＵＬ参照ＵＬ−ＤＬ設定によって、ＤＬサブフレームまたはスペシャルサブフレームとして指示された全てのサブフレームにおいて、ＤＣＩフォーマット５をモニタしてもよい。
【０２２８】
例えば、プライマリーセルにおいてＴＤＤが適用される場合、ＰＤＣＣＨを送信することができる全てのサブフレームは、プライマリーセルのＵＬ参照ＵＬ−ＤＬ設定で指示されたＤＬサブフレームおよびプライマリーセルのＵＬ参照ＵＬ−ＤＬ設定で指示されたスペシャルサブフレームであってもよい。
【０２２９】
複数の周期Ｔのそれぞれに対して、サブフレーム｛m・T, m・T+1,...,(m+1)・T-1｝のうち、プライマリーセルのＵＬ参照ＵＬ−ＤＬ設定で指示されたＤＬサブフレームおよびプライマリーセルのＵＬ参照ＵＬ−ＤＬ設定で指示されたスペシャルサブフレームの全てにおけるＤＣＩフォーマット５のモニタリングに対応する第２のスペシャル設定インデックスＩ（オフセットｋ）が定義されてもよい。すなわち、端末装置１は、第２のスペシャルインデックスＩ（オフセットｋ）に基づいて、プライマリーセルのＵＬ参照ＵＬ−ＤＬ設定によって、ＤＬサブフレームまたはスペシャルサブフレームとして指示された全てのサブフレームにおいて、ＤＣＩフォーマット５をモニタしてもよい。
【０２３０】
すなわち、１つのプライマリーセルが設定されている場合、１つのプライマリーセルおよび１つのセカンダリーセルが設定され、プライマリーセルに対する第１のＵＬ参照ＵＬ−ＤＬ設定およびセカンダリーセルに対する第１のＵＬ参照ＵＬ−ＤＬ設定が同じ場合、または、１つのプライマリーセルおよび１つのセカンダリーセルが設定され、プライマリーセルにおいてＴＤＤが適用され、セカンダリーセルにおいてＦＤＤが適用される場合は、複数の周期Ｔのそれぞれに対して、サブフレーム｛m・T, m・T+1,...,(m+1)・T-1｝のうち、プライマリーセルの第１のＵＬ参照ＵＬ−ＤＬ設定で指示されたＤＬサブフレームおよびプライマリーセルの第１のＵＬ参照ＵＬ−ＤＬ設定で指示されたスペシャルサブフレームの全てにおけるＤＣＩフォーマット５のモニタリングに対応する第２のスペシャル設定インデックスＩ（オフセットｋ）が定義されてもよい。
【０２３１】
すなわち、１つのプライマリーセルおよび１つのセカンダリーセルが設定され、プライマリーセルに対する第１のＵＬ参照ＵＬ−ＤＬ設定およびセカンダリーセルに対する第１のＵＬ参照ＵＬ−ＤＬ設定が異なる場合は、複数の周期Ｔのそれぞれに対して、サブフレーム｛m・T, m・T+1,...,(m+1)・T-1｝のうち、プライマリーセルの第２のＵＬ参照ＵＬ−ＤＬ設定で指示されたＤＬサブフレームおよびプライマリーセルの第２のＵＬ参照ＵＬ−ＤＬ設定で指示されたスペシャルサブフレームの全てにおけるＤＣＩフォーマット５のモニタリングに対応する第２のスペシャル設定インデックスＩ（オフセットｋ）が定義されてもよい。
【０２３２】
例えば、サービングセルにおいてＴＤＤが適用される場合、ＰＤＣＣＨを送信することができる全てのサブフレームは、ＤＬ参照ＵＬ−ＤＬ設定で指示されたＤＬサブフレームおよびＤＬ参照ＵＬ−ＤＬ設定で指示されたスペシャルサブフレームであってもよい。
【０２３３】
また、複数の周期Ｔのそれぞれに対して、サブフレーム｛m・T, m・T+1,...,(m+1)・T-1｝のうち、ＤＬ参照ＵＬ−ＤＬ設定で指示されたＤＬサブフレームおよびＤＬ参照ＵＬ−ＤＬ設定で指示されたスペシャルサブフレームの全てにおけるＤＣＩフォーマット５のモニタリングに対応する第２のスペシャル設定インデックスＩ（オフセットｋ）が定義されてもよい。すなわち、端末装置１は、第２のスペシャルインデックスＩ（オフセットｋ）に基づいて、ＤＬ参照ＵＬ−ＤＬ設定によって、ＤＬサブフレームまたはスペシャルサブフレームとして指示された全てのサブフレームにおいて、ＤＣＩフォーマット５をモニタしてもよい。
【０２３４】
例えば、プライマリーセルにおいてＴＤＤが適用される場合、ＰＤＣＣＨを送信することができる全てのサブフレームは、プライマリーセルのＤＬ参照ＵＬ−ＤＬ設定で指示されたＤＬサブフレームおよびプライマリーセルのＤＬ参照ＵＬ−ＤＬ設定で指示されたスペシャルサブフレームであってもよい。
【０２３５】
複数の周期Ｔのそれぞれに対して、サブフレーム｛m・T, m・T+1,...,(m+1)・T-1｝のうち、プライマリーセルのＤＬ参照ＵＬ−ＤＬ設定で指示されたＤＬサブフレームおよびプライマリーセルのＤＬ参照ＵＬ−ＤＬ設定で指示されたスペシャルサブフレームの全てにおけるＤＣＩフォーマット５のモニタリングに対応する第２のスペシャル設定インデックスＩ（オフセットｋ）が定義されてもよい。すなわち、端末装置１は、第２のスペシャルインデックスＩ（オフセットｋ）に基づいて、プライマリーセルのＤＬ参照ＵＬ−ＤＬ設定によって、ＤＬサブフレームまたはスペシャルサブフレームとして指示された全てのサブフレームにおいて、ＤＣＩフォーマット５をモニタしてもよい。
【０２３６】
すなわち、１つのプライマリーセルが設定されている場合、１つのプライマリーセルおよび１つのセカンダリーセルが設定され、プライマリーセルに対する第１のＵＬ参照ＵＬ−ＤＬ設定およびセカンダリーセルに対する第１のＵＬ参照ＵＬ−ＤＬ設定が同じ場合、または、１つのプライマリーセルおよび１つのセカンダリーセルが設定され、プライマリーセルにおいてＴＤＤが適用され、セカンダリーセルにおいてＦＤＤが適用される場合は、複数の周期Ｔのそれぞれに対して、サブフレーム｛m・T, m・T+1,...,(m+1)・T-1｝のうち、プライマリーセルの第１のＤＬ参照ＵＬ−ＤＬ設定で指示されたＤＬサブフレームおよびプライマリーセルの第１のＤＬ参照ＵＬ−ＤＬ設定で指示されたスペシャルサブフレームの全てにおけるＤＣＩフォーマット５のモニタリングに対応する第２のスペシャル設定インデックスＩ（オフセットｋ）が定義されてもよい。
【０２３７】
すなわち、１つのプライマリーセルおよび１つのセカンダリーセルが設定され、プライマリーセルに対する第１のＤＬ参照ＵＬ−ＤＬ設定およびセカンダリーセルに対する第１のＤＬ参照ＵＬ−ＤＬ設定が異なる場合は、複数の周期Ｔのそれぞれに対して、サブフレーム｛m・T, m・T+1,...,(m+1)・T-1｝のうち、プライマリーセルの第２のＤＬ参照ＵＬ−ＤＬ設定で指示されたＤＬサブフレームおよびプライマリーセルの第２のＤＬ参照ＵＬ−ＤＬ設定で指示されたスペシャルサブフレームの全てにおけるＤＣＩフォーマット５のモニタリングに対応する第２のスペシャル設定インデックスＩ（オフセットｋ）が定義されてもよい。
【０２３８】
また、１つのプライマリーセルおよび１つのセカンダリーセルが設定され、プライマリーセルにおいてＦＤＤが適用され、セカンダリーセルにおいてＴＤＤが適用される場合は、ＰＤＣＣＨを送信することができる全てのサブフレームは、プライマリーセルの全てのサブフレームであってもよい。
【０２３９】
すなわち、１つのプライマリーセルおよび１つのセカンダリーセルが設定され、プライマリーセルにおいてＦＤＤが適用され、セカンダリーセルにおいてＴＤＤが適用される場合は、複数の周期Ｔのそれぞれに対して、サブフレーム｛m・T, m・T+1,...,(m+1)・T-1｝のうち、プライマリーセルの全てのサブフレームにおけるＤＣＩフォーマット５のモニタリングに対応する第２のスペシャル設定インデックスＩ（オフセットｋ）が定義されてもよい。
【０２４０】
すなわち、第２のスペシャル設定インデックスＩが対応するオフセットｋは、少なくとも１つのセカンダリーセルが設定されているかどうかに基づく。また、第２のスペシャル設定インデックスＩが対応するオフセットｋは、プライマリーセルにおいてＴＤＤまたはＦＤＤのどちらが適用されているかに基づく。また、第２のスペシャル設定インデックスＩが対応するオフセットｋは、プライマリーセルのＵＬ参照ＵＬ−ＤＬ設定またはプライマリーセルのＤＬ参照ＵＬ−ＤＬ設定に基づく。また、第２のスペシャル設定インデックスＩが対応するオフセットｋは、プライマリーセルにおいてＴＤＤまたはＦＤＤのどちらが適用されているかに基づく。
【０２４１】
尚、オフセットｋはビットマップ基づいて設定されてもよい。
【０２４２】
図２２は、本実施形態における周期Ｔおよびオフセットｋの一例を示す図である。
【０２４３】
図２２において、端末装置１に対して１つのプライマリーセル（Ｓ１）と１つのセカンダリーセル（Ｓ２）が設定されている。図２２において、Ｓ１０は (10・nf+n-k) mod T = 0を満たすサブフレームにおいてプライマリーセル(S1)のＣＳＳ上で送信される第３の情報である。
【０２４４】
図２２において、あるサブフレーム｛m・T, m・T+1,...,(m+1)・T-1｝において検出されたＤＣＩフォーマット５に含まれるプライマリーセル（Ｓ１）に対する第３の情報によって示される送信方向ＵＬ−ＤＬ設定は、次のサブフレーム{(m+1)・T, (m+1)・T+1,...,(m+2)・T-1}において有効である。
【０２４５】
図２２において、あるサブフレーム｛m・T, m・T+1,...,(m+1)・T-1｝において検出されたＤＣＩフォーマット５に含まれるセカンダリーセル（Ｓ２）に対する第３の情報によって示される送信方向ＵＬ−ＤＬ設定は、次のサブフレーム{(m+1)・T, (m+1)・T+1,...,(m+2)・T-1}において有効である。
【０２４６】
すなわち、同じＤＣＩフォーマット５に含まれる、複数のサービングセルのそれぞれに対する第３の情報によって示される送信方向ＵＬ−ＤＬ設定は、同じ期間中に有効である。
【０２４７】
尚、少なくとも１つのサービングセルから構成されるセルグループｉが構成されてもよい。基地局装置３は、セルグループのセルグループインデックスを設定してもよい。基地局装置３は、セルグループインデックスを示す情報を、端末装置１に送信してもよい。
【０２４８】
プライマリーセルを含むセルグループのセルグループインデックスは、常に０であってもよい。基地局装置３は、セカンダリーセルのみから構成されるセルグループのセルグループインデックスを設定してもよい。基地局装置３は、セカンダリーセルのみから構成されるセルグループのセルグループインデックスを設定してもよい。
【０２４９】
ある端末装置１において、設定インデックスＩは複数のセルグループ間で共通であってもよい。端末装置１は、上位層の信号に基づいて、セルグループｉのそれぞれに対して、周期Ｔｉとオフセットｋｉに対応する設定インデックスＩｉをセットしてもよい。基地局装置３は、該上位層の信号を端末装置１に送信してもよい。
【０２５０】
プライマリーセルが含まれるセルグループにおいて、第３の情報をモニタするセルは常にプライマリーセルであってもよい。端末装置１は、上位層の信号に基づいて、セカンダリーセルのみから構成されるセルグループのそれぞれに対して、該セルグループに対応する第３の情報（ＤＣＩフォーマット５）をモニタするセルのServCellIndexをセットしてもよい。基地局装置３は、該上位層の信号を端末装置１に送信してもよい。
【０２５１】
図２３は、本実施形態におけるセルグループインデックスとServCellIndexと第３の情報のインデックスとの対応の設定の一例を示す図である。
【０２５２】
図２３において、端末装置１Ａに対してセルグループインデックス０のセルグループが設定されている。図２３において、端末装置１Ｂに対してセルグループインデックス０のセルグループとセルグループインデックス１のセルグループが設定されている。
【０２５３】
図２３において、端末装置１Ａに対するセルグループインデックス０に対応する第３の情報（ＤＣＩフォーマット５）をモニタするセルのServCellIndexは０である。図２３において、端末装置１Ｂに対するセルグループインデックス０に対応する第３の情報（ＤＣＩフォーマット５）をモニタするセルのServCellIndexは０である。図２３において、端末装置１Ｂに対するセルグループインデックス１に対応する第３の情報（ＤＣＩフォーマット５）をモニタするセルのServCellIndexは３である。
【０２５４】
図２４は、本実施形態におけるセルグループのそれぞれに対する周期Ｔおよびオフセットｋの一例を示す図である。
【０２５５】
図２４において、端末装置１に対して１つのプライマリーセル（Ｓ１）と３つのセカンダリーセル（Ｓ２、Ｓ３、Ｓ４）が設定されている。図２４において、１つのプライマリーセル（Ｓ１）と１つのセカンダリーセル（Ｓ２）から第１のセルグループ（Ｓ１００）が構成される。図２４において、２つのセカンダリーセル（Ｓ３、Ｓ４）から第２のセルグループ（Ｓ２００）が構成される。
【０２５６】
図２４において、Ｓ１０は (10・nf+n-k1) mod T1= 0を満たすサブフレームにおいてプライマリーセル(S1)のＣＳＳ上で送信される、第１のセルグループに対応する第３の情報（ＤＣＩフォーマット５）である。図２４において、Ｓ２０は (10・nf+n-k2) mod T2= 0を満たすサブフレームにおいてセカンダリーセル(S3)のＣＳＳ上で送信される、第２のセルグループに対応する第３の情報（ＤＣＩフォーマット５）である。
【０２５７】
図２４において、あるサブフレーム｛m・T, m・T+1,...,(m+1)・T-1｝において検出されたＤＣＩフォーマット５に含まれるプライマリーセル（Ｓ１）に対する第３の情報によって示される送信方向ＵＬ−ＤＬ設定は、次のサブフレーム{(m+1)・T, (m+1)・T+1,...,(m+2)・T-1}において有効である。
【０２５８】
図２４において、あるサブフレーム｛m・T, m・T+1,...,(m+1)・T-1｝において検出されたＤＣＩフォーマット５に含まれるセカンダリーセル（Ｓ２）に対する第３の情報によって示される送信方向ＵＬ−ＤＬ設定は、次のサブフレーム{(m+1)・T, (m+1)・T+1,...,(m+2)・T-1}において有効である。
【０２５９】
図２４において、あるサブフレーム｛n・T, n・T+1,...,( n +1)・T-1｝において検出されたＤＣＩフォーマット５に含まれるセカンダリーセル（Ｓ３）に対する第３の情報によって示される送信方向ＵＬ−ＤＬ設定は、次のサブフレーム{( n +1)・T, (n +1)・T+1,...,( n +2)・T-1}において有効である。
【０２６０】
図２４において、あるサブフレーム｛n・T, n・T+1,...,( n +1)・T-1｝において検出されたＤＣＩフォーマット５に含まれるセカンダリーセル（Ｓ４）に対する第３の情報によって示される送信方向ＵＬ−ＤＬ設定は、次のサブフレーム{( n +1)・T, (n +1)・T+1,...,( n +2)・T-1}において有効である。
【０２６１】
すなわち、同じＤＣＩフォーマット５に含まれる、複数のサービングセルのそれぞれに対する第３の情報によって示される送信方向ＵＬ−ＤＬ設定は、同じ期間中に有効である。
【０２６２】
すなわち、異なるセルグループに対応する第３の情報は、異なるＤＣＩフォーマット５に含まれる。また、同じセルグループに含まれる複数のサービングセルのそれぞれに対応する第３の情報は、同じＤＣＩフォーマット５に含まれる。また、第３の情報によって示される送信方向ＵＬ−ＤＬ設定が有効である期間は、セルグループ毎に定義される。
【０２６３】
以下、送信方向ＵＬ−ＤＬ設定について説明する。
【０２６４】
端末装置１および基地局装置３は、サブフレームにおける送信の方向（上り／下り）に関する送信方向ＵＬ−ＤＬ設定をセットする。送信方向ＵＬ−ＤＬ設定は、サブフレームにおける送信の方向を決定するために用いられる。
【０２６５】
端末装置１は、スケジューリング情報（ＤＣＩフォーマットおよび／またはＨＡＲＱ−ＡＣＫ）、および、送信方向ＵＬ−ＤＬ設定に基づいて、第１のフレキシブルサブフレームおよび第２のフレキシブルサブフレームにおける送信を制御してもよい。
【０２６６】
基地局装置３は、送信方向ＵＬ−ＤＬ設定を示す第３の情報を、端末装置１に送信する。第３の情報は上りリンク送信が可能なサブフレームを指示する情報である。第３の情報は下りリンク送信が可能なサブフレームを指示する情報である。第３の情報は下りリンクに対するＣＳＩ測定（干渉測定）が可能なサブフレームを指示する情報である。第３の情報はＵｐＰＴＳにおける上りリンク送信およびＤｗＰＴＳにおける下りリンク送信が可能なサブフレームを指示する情報である。送信方向ＵＬ−ＤＬ設定は、第１のＵＬ参照ＵＬ−ＤＬ設定と第１のＤＬ参照ＵＬ−ＤＬ設定とで異なるサブフレームとして指示されているサブフレームにおける、送信の方向を特定するために用いられる。
【０２６７】
基地局装置３は、送信方向ＵＬ−ＤＬ設定によって下りリンクサブフレームとして指示されたサブフレームにおいて、下りリンクの送信のスケジューリングを行なってもよい。
【０２６８】
端末装置１は、第３の情報（ＤＣＩフォーマット５）を正しく検出できた場合、検出した第３の情報が対応するサブフレーム｛m・T, m・T+1,...,(m+1)・T-1｝のうち、検出した第３の情報によって示される送信方向ＵＬ−ＤＬ設定によって下りリンクサブフレームとして指示されたサブフレームにおいて、下りリンク信号の受信処理を行ってもよい。
【０２６９】
端末装置１は、サブフレーム｛m・T, m・T+1,...,(m+1)・T-1｝に対応する第３の情報（ＤＣＩフォーマット５）を正しく検出できなかった場合、サブフレーム｛m・T, m・T+1,...,(m+1)・T-1｝のうち、ＵＬ参照ＵＬ−ＤＬ設定によって下りリンクサブフレームとして指示されたサブフレームにおいて、下りリンク信号の受信処理を行ってもよい。
【０２７０】
端末装置１は、サブフレーム｛m・T, m・T+1,...,(m+1)・T-1｝に対応する第３の情報（ＤＣＩフォーマット５）を正しく検出できなかった場合、サブフレーム｛m・T, m・T+1,...,(m+1)・T-1｝のうち、ＤＬ参照ＵＬ−ＤＬ設定によって下りリンクサブフレームとして指示されたサブフレームにおいて、下りリンク信号の受信処理を行ってもよい。
【０２７１】
基地局装置３は、送信方向ＵＬ−ＤＬ設定によって下りリンクサブフレームとして指示されたサブフレームにおいて、ＰＤＣＣＨ／ＥＰＤＣＣＨの送信を行なってもよい。
【０２７２】
端末装置１は、第３の情報（ＤＣＩフォーマット５）を正しく検出できた場合、検出した第３の情報が対応するサブフレーム｛m・T, m・T+1,...,(m+1)・T-1｝のうち、検出した第３の情報によって示される送信方向ＵＬ−ＤＬ設定によって下りリンクサブフレームとして指示されたサブフレームにおいて、下りリンクアサインメントおよび／または上りリンクグラントをともなうＰＤＣＣＨ／ＥＰＤＣＣＨのモニタを行ってもよい。
【０２７３】
端末装置１は、サブフレーム｛m・T, m・T+1,...,(m+1)・T-1｝に対応する第３の情報（ＤＣＩフォーマット５）を正しく検出できなかった場合、サブフレーム｛m・T, m・T+1,...,(m+1)・T-1｝のうち、ＵＬ参照ＵＬ−ＤＬ設定によって下りリンクサブフレームとして指示されたサブフレームにおいて、下りリンクアサインメントおよび／または上りリンクグラントをともなうＰＤＣＣＨ／ＥＰＤＣＣＨのモニタを行ってもよい。
【０２７４】
端末装置１は、サブフレーム｛m・T, m・T+1,...,(m+1)・T-1｝に対応する第３の情報（ＤＣＩフォーマット５）を正しく検出できなかった場合、サブフレーム｛m・T, m・T+1,...,(m+1)・T-1｝のうち、ＤＬ参照ＵＬ−ＤＬ設定によって下りリンクサブフレームとして指示されたサブフレームにおいて、下りリンクアサインメントおよび／または上りリンクグラントをともなうＰＤＣＣＨ／ＥＰＤＣＣＨのモニタを行ってもよい。
【０２７５】
基地局装置３は、送信方向ＵＬ−ＤＬ設定によって下りリンクサブフレームとして指示されたサブフレームにおいて、ＣＳＩ測定（干渉測定）を行なってもよい。
【０２７６】
端末装置１は、第３の情報（ＤＣＩフォーマット５）を正しく検出できた場合、検出した第３の情報が対応するサブフレーム｛m・T, m・T+1,...,(m+1)・T-1｝のうち、検出した第３の情報によって示される送信方向ＵＬ−ＤＬ設定によって下りリンクサブフレームとして指示されたサブフレームにおいて、ＣＳＩ測定（干渉測定）を行ってもよい。
【０２７７】
端末装置１は、サブフレーム｛m・T, m・T+1,...,(m+1)・T-1｝に対応する第３の情報（ＤＣＩフォーマット５）を正しく検出できなかった場合、サブフレーム｛m・T, m・T+1,...,(m+1)・T-1｝のうち、ＵＬ参照ＵＬ−ＤＬ設定によって下りリンクサブフレームとして指示されたサブフレームにおいて、ＣＳＩ測定（干渉測定）を行ってもよい。
【０２７８】
端末装置１は、サブフレーム｛m・T, m・T+1,...,(m+1)・T-1｝に対応する第３の情報（ＤＣＩフォーマット５）を正しく検出できなかった場合、サブフレーム｛m・T, m・T+1,...,(m+1)・T-1｝のうち、ＤＬ参照ＵＬ−ＤＬ設定によって下りリンクサブフレームとして指示されたサブフレームにおいて、ＣＳＩ測定（干渉測定）を行ってもよい。
【０２７９】
基地局装置３は、送信方向ＵＬ−ＤＬ設定によって下りリンクサブフレームとして指示されたサブフレームにおいて、上りリンクの送信のスケジューリングを行わない。
【０２８０】
端末装置１は、第３の情報（ＤＣＩフォーマット５）を正しく検出できた場合、検出した第３の情報が対応するサブフレーム｛m・T, m・T+1,...,(m+1)・T-1｝のうち、検出した第３の情報によって示される送信方向ＵＬ−ＤＬ設定によって下りリンクサブフレームとして指示されたサブフレームにおいて、たとえ上りリンクの送信がスケジューリングされたとしても、上りリンクの送信を行わない。
【０２８１】
端末装置１は、サブフレーム｛m・T, m・T+1,...,(m+1)・T-1｝に対応する第３の情報（ＤＣＩフォーマット５）を正しく検出できなかった場合、サブフレーム｛m・T, m・T+1,...,(m+1)・T-1｝のうち、ＵＬ参照ＵＬ−ＤＬ設定によって下りリンクサブフレームとして指示されたサブフレームにおいて、たとえ上りリンクの送信がスケジューリングされたとしても、上りリンクの送信を行わない。
【０２８２】
端末装置１は、サブフレーム｛m・T, m・T+1,...,(m+1)・T-1｝に対応する第３の情報（ＤＣＩフォーマット５）を正しく検出できなかった場合、サブフレーム｛m・T, m・T+1,...,(m+1)・T-1｝のうち、ＤＬ参照ＵＬ−ＤＬ設定によって下りリンクサブフレームとして指示されたサブフレームにおいて、たとえ上りリンクの送信がスケジューリングされたとしても、上りリンクの送信を行わない。
【０２８３】
基地局装置３は、送信方向ＵＬ−ＤＬ設定によって上りリンクサブフレームとして指示されたサブフレームにおいて、上りリンクの送信のスケジューリングを行なってもよい。
【０２８４】
端末装置１は、第３の情報（ＤＣＩフォーマット５）を正しく検出できた場合、検出した第３の情報が対応するサブフレーム｛m・T, m・T+1,...,(m+1)・T-1｝のうち、検出した第３の情報によって示される送信方向ＵＬ−ＤＬ設定によって上りリンクサブフレームとして指示されたサブフレームにおいて、上りリンク信号の送信処理を行ってもよい。
【０２８５】
端末装置１は、サブフレーム｛m・T, m・T+1,...,(m+1)・T-1｝に対応する第３の情報（ＤＣＩフォーマット５）を正しく検出できなかった場合、サブフレーム｛m・T, m・T+1,...,(m+1)・T-1｝のうち、ＵＬ参照ＵＬ−ＤＬ設定によって上りリンクサブフレームとして指示されたサブフレームにおいて、上りリンク信号の送信処理を行ってもよい。
【０２８６】
端末装置１は、サブフレーム｛m・T, m・T+1,...,(m+1)・T-1｝に対応する第３の情報（ＤＣＩフォーマット５）を正しく検出できなかった場合、サブフレーム｛m・T, m・T+1,...,(m+1)・T-1｝のうち、ＤＬ参照ＵＬ−ＤＬ設定によって上りリンクサブフレームとして指示されたサブフレームにおいて、上りリンク信号の送信処理を行ってもよい。
【０２８７】
基地局装置３は、送信方向ＵＬ−ＤＬ設定によってスペシャルサブフレームとして指示されたサブフレームのＤｗＰＴＳにおいて、下りリンクの送信のスケジューリングを行なってもよい。
【０２８８】
端末装置１は、第３の情報（ＤＣＩフォーマット５）を正しく検出できた場合、検出した第３の情報が対応するサブフレーム｛m・T, m・T+1,...,(m+1)・T-1｝のうち、検出した第３の情報によって示される送信方向ＵＬ−ＤＬ設定によってスペシャルサブフレームとして指示されたサブフレームのＤｗＰＴＳにおいて、下りリンク信号の受信処理を行ってもよい。
【０２８９】
端末装置１は、サブフレーム｛m・T, m・T+1,...,(m+1)・T-1｝に対応する第３の情報（ＤＣＩフォーマット５）を正しく検出できなかった場合、サブフレーム｛m・T, m・T+1,...,(m+1)・T-1｝のうち、ＵＬ参照ＵＬ−ＤＬ設定によってスペシャルサブフレームとして指示されたサブフレームのＤｗＰＴＳにおいて、下りリンク信号の受信処理を行ってもよい。
【０２９０】
端末装置１は、サブフレーム｛m・T, m・T+1,...,(m+1)・T-1｝に対応する第３の情報（ＤＣＩフォーマット５）を正しく検出できなかった場合、サブフレーム｛m・T, m・T+1,...,(m+1)・T-1｝のうち、ＤＬ参照ＵＬ−ＤＬ設定によってスペシャルサブフレームとして指示されたサブフレームのＤｗＰＴＳにおいて、下りリンク信号の受信処理を行ってもよい。
【０２９１】
基地局装置３は、送信方向ＵＬ−ＤＬ設定によってスペシャルサブフレームとして指示されたサブフレームのＵｐＰＴＳにおいて、ＳＲＳの送信のスケジューリングを行なってもよい。
【０２９２】
端末装置１は、第３の情報（ＤＣＩフォーマット５）を正しく検出できた場合、検出した第３の情報が対応するサブフレーム｛m・T, m・T+1,...,(m+1)・T-1｝のうち、検出した第３の情報によって示される送信方向ＵＬ−ＤＬ設定によってスペシャルサブフレームとして指示されたサブフレームのＵｐＰＴＳにおいてＳＲＳの送信処理を行ってもよい。
【０２９３】
端末装置１は、サブフレーム｛m・T, m・T+1,...,(m+1)・T-1｝に対応する第３の情報（ＤＣＩフォーマット５）を正しく検出できなかった場合、サブフレーム｛m・T, m・T+1,...,(m+1)・T-1｝のうち、ＵＬ参照ＵＬ−ＤＬ設定によってスペシャルサブフレームとして指示されたサブフレームのＵｐＰＴＳにおいてＳＲＳの送信処理を行ってもよい。
【０２９４】
端末装置１は、サブフレーム｛m・T, m・T+1,...,(m+1)・T-1｝に対応する第３の情報（ＤＣＩフォーマット５）を正しく検出できなかった場合、サブフレーム｛m・T, m・T+1,...,(m+1)・T-1｝のうち、ＤＬ参照ＵＬ−ＤＬ設定によってスペシャルサブフレームとして指示されたサブフレームのＵｐＰＴＳにおいてＳＲＳの送信処理を行ってもよい。
【０２９５】
以下、本実施形態における装置の構成について説明する。
【０２９６】
図２５は、本実施形態の端末装置１の構成を示す概略ブロック図である。図示するように、端末装置１は、上位層処理部１０１、制御部１０３、受信部１０５、送信部１０７と送受信アンテナ部１０９を含んで構成される。また、上位層処理部１０１は、無線リソース制御部（設定部）１０１１、および、スケジューリング情報解釈部１０１３を含んで構成される。また、受信部１０５は、復号化部１０５１、復調部１０５３、多重分離部１０５５、無線受信部１０５７とチャネル測定部１０５９を含んで構成される。また、送信部１０７は、符号化部１０７１、変調部１０７３、多重部１０７５、無線送信部１０７７と上りリンク参照信号生成部１０７９を含んで構成される。
【０２９７】
上位層処理部１０１は、ユーザの操作等により生成された上りリンクデータ（トランスポートブロック）を、送信部１０７に出力する。また、上位層処理部１０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【０２９８】
上位層処理部１０１が備える無線リソース制御部１０１１は、自装置の各種設定情報／パラメータの管理をする。無線リソース制御部１０１１は、基地局装置３から受信した上位層の信号に基づいて各種設定情報／パラメータをセットする。すなわち、無線リソース制御部１０１１は、基地局装置３から受信した各種設定情報／パラメータを示す情報に基づいて各種設定情報／パラメータをセットする。また、無線リソース制御部１０１１は、上りリンクの各チャネルに配置される情報を生成し、送信部１０７に出力する。無線リソース制御部１０１１を設定部１０１１とも称する。
【０２９９】
上位層処理部１０１が備えるスケジューリング情報解釈部１０１３は、受信部１０５を介して受信したＤＣＩフォーマット（スケジューリング情報）の解釈をし、前記ＤＣＩフォーマットを解釈した結果に基づき、受信部１０５、および送信部１０７の制御を行なうために制御情報を生成し、制御部１０３に出力する。
【０３００】
制御部１０３は、上位層処理部１０１からの制御情報に基づいて、受信部１０５、および送信部１０７の制御を行なう制御信号を生成する。制御部１０３は、生成した制御信号を受信部１０５、および送信部１０７に出力して受信部１０５、および送信部１０７の制御を行なう。
【０３０１】
受信部１０５は、制御部１０３から入力された制御信号に従って、送受信アンテナ部１０９を介して基地局装置３から受信した受信信号を、分離、復調、復号し、復号した情報を上位層処理部１０１に出力する。
【０３０２】
無線受信部１０５７は、送受信アンテナ部１０９を介して受信した下りリンクの信号を、直交復調によりベースバンド信号に変換し（ダウンコンバート: down covert）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部１０５７は、変換したディジタル信号からＣＰ（Cyclic Prefix）に相当する部分を除去し、ＣＰを除去した信号に対して高速フーリエ変換（Fast Fourier Transform: FFT）を行い、周波数領域の信号を抽出する。
【０３０３】
多重分離部１０５５は、抽出した信号をＰＨＩＣＨ、ＰＤＣＣＨ、ＥＰＤＣＣＨ、ＰＤＳＣＨ、および下りリンク参照信号に、それぞれ分離する。また、多重分離部１０５５は、チャネル測定部１０５９から入力された伝搬路の推定値から、ＰＨＩＣＨ、ＰＤＣＣＨ、ＥＰＤＣＣＨ、およびＰＤＳＣＨの伝搬路の補償を行なう。また、多重分離部１０５５は、分離した下りリンク参照信号をチャネル測定部１０５９に出力する。
【０３０４】
復調部１０５３は、ＰＨＩＣＨに対して対応する符号を乗算して合成し、合成した信号に対してＢＰＳＫ（Binary Phase Shift Keying）変調方式の復調を行ない、復号化部１０５１へ出力する。復号化部１０５１は、自装置宛てのＰＨＩＣＨを復号し、復号したＨＡＲＱインディケータを上位層処理部１０１に出力する。復調部１０５３は、ＰＤＣＣＨおよび／またはＥＰＤＣＣＨに対して、ＱＰＳＫ変調方式の復調を行ない、復号化部１０５１へ出力する。復号化部１０５１は、ＰＤＣＣＨおよび／またはＥＰＤＣＣＨの復号を試み、復号に成功した場合、復号した下りリンク制御情報と下りリンク制御情報が対応するＲＮＴＩとを上位層処理部１０１に出力する。
【０３０５】
復調部１０５３は、ＰＤＳＣＨに対して、ＱＰＳＫ（Quadrature Phase Shift Keying）、１６ＱＡＭ（Quadrature Amplitude Modulation）、６４ＱＡＭ等の下りリンクグラントで通知された変調方式の復調を行ない、復号化部１０５１へ出力する。復号化部１０５１は、下りリンク制御情報で通知された符号化率に関する情報に基づいて復号を行い、復号した下りリンクデータ（トランスポートブロック）を上位層処理部１０１へ出力する。
【０３０６】
チャネル測定部１０５９は、多重分離部１０５５から入力された下りリンク参照信号から下りリンクのパスロスやチャネルの状態を測定し、測定したパスロスやチャネルの状態を上位層処理部１０１へ出力する。また、チャネル測定部１０５９は、下りリンク参照信号から下りリンクの伝搬路の推定値を算出し、多重分離部１０５５へ出力する。チャネル測定部１０５９は、ＣＱＩの算出のために、チャネル測定、および／または、干渉測定を行なう。
【０３０７】
送信部１０７は、制御部１０３から入力された制御信号に従って、上りリンク参照信号を生成し、上位層処理部１０１から入力された上りリンクデータ（トランスポートブロック）を符号化および変調し、ＰＵＣＣＨ、ＰＵＳＣＨ、および生成した上りリンク参照信号を多重し、送受信アンテナ部１０９を介して基地局装置３に送信する。
【０３０８】
符号化部１０７１は、上位層処理部１０１から入力された上りリンク制御情報を畳込み符号化、ブロック符号化等の符号化を行う。また、符号化部１０７１は、ＰＵＳＣＨのスケジューリングに用いられる情報に基づきターボ符号化を行なう。
【０３０９】
変調部１０７３は、符号化部１０７１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。変調部１０７３は、ＰＵＳＣＨのスケジューリングに用いられる情報に基づき、空間多重されるデータの系列の数を決定し、ＭＩＭＯ（Multiple Input Multiple Output）ＳＭ（Spatial Multiplexing）を用いることにより同一のＰＵＳＣＨで送信される複数の上りリンクデータを、複数の系列にマッピングし、この系列に対してプレコーディング（precoding）を行なう。
【０３１０】
上りリンク参照信号生成部１０７９は、基地局装置３を識別するための物理レイヤセル識別子（physical layer cell identity: PCI、Cell IDなどと称する。）、上りリンク参照信号を配置する帯域幅、上りリンクグラントで通知されたサイクリックシフト、ＤＭＲＳシーケンスの生成に対するパラメータの値などを基に、予め定められた規則（式）で求まる系列を生成する。多重部１０７５は、制御部１０３から入力された制御信号に従って、ＰＵＳＣＨの変調シンボルを並列に並び替えてから離散フーリエ変換（Discrete Fourier Transform: DFT）する。また、多重部１０７５は、ＰＵＣＣＨとＰＵＳＣＨの信号と生成した上りリンク参照信号を送信アンテナポート毎に多重する。つまり、多重部１０７５は、ＰＵＣＣＨとＰＵＳＣＨの信号と生成した上りリンク参照信号を送信アンテナポート毎にリソースエレメントに配置する。
【０３１１】
無線送信部１０７７は、多重された信号を逆高速フーリエ変換（Inverse Fast FourierTransform: IFFT）して、ＳＣ−ＦＤＭＡシンボルを生成し、生成されたＳＣ−ＦＤＭＡシンボルにＣＰを付加し、ベースバンドのディジタル信号を生成し、ベースバンドのディジタル信号をアナログ信号に変換し、ローパスフィルタを用いて余分な周波数成分を除去し、搬送波周波数にアップコンバート（up convert）し、電力増幅し、送受信アンテナ部１０９に出力して送信する。
【０３１２】
図２６は、本実施形態の基地局装置３の構成を示す概略ブロック図である。図示するように、基地局装置３は、上位層処理部３０１、制御部３０３、受信部３０５、送信部３０７、および、送受信アンテナ部３０９、を含んで構成される。また、上位層処理部３０１は、無線リソース制御部３０１１、および、スケジューリング部３０１３を含んで構成される。また、受信部３０５は、復号化部３０５１、復調部３０５３、多重分離部３０５５、無線受信部３０５７とチャネル測定部３０５９を含んで構成される。また、送信部３０７は、符号化部３０７１、変調部３０７３、多重部３０７５、無線送信部３０７７と下りリンク参照信号生成部３０７９を含んで構成される。
【０３１３】
上位層処理部３０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部３０１は、受信部３０５、および送信部３０７の制御を行なうために制御情報を生成し、制御部３０３に出力する。
【０３１４】
上位層処理部３０１が備える無線リソース制御部３０１１は、下りリンクのＰＤＳＣＨに配置される下りリンクデータ（トランスポートブロック）、システムインフォメーション、ＲＲＣメッセージ、ＭＡＣ  ＣＥ（Control Element）などを生成し、又は上位ノードから取得し、送信部３０７に出力する。また、無線リソース制御部３０１１は、端末装置１各々の各種設定情報／パラメータの管理をする。無線リソース制御部３０１１は、上位層の信号を介して端末装置１各々に対して各種設定情報／パラメータをセットしてもよい。すなわち、無線リソース制御部１０１１は、各種設定情報／パラメータを示す情報を送信／報知する。無線リソース制御部３０１１を設定部３０１１とも称する。
【０３１５】
上位層処理部３０１が備えるスケジューリング部３０１３は、受信したチャネル状態情報およびチャネル測定部３０５９から入力された伝搬路の推定値やチャネルの品質などから、物理チャネル（ＰＤＳＣＨおよびＰＵＳＣＨ）を割り当てる周波数およびサブフレーム、物理チャネル（ＰＤＳＣＨおよびＰＵＳＣＨ）の符号化率および変調方式および送信電力などを決定する。スケジューリング部３０１３は、スケジューリング結果に基づき、受信部３０５、および送信部３０７の制御を行なうために制御情報（例えば、ＤＣＩフォーマット）を生成し、制御部３０３に出力する。スケジューリング部３０１３は、さらに、送信処理および受信処理を行うタイミングを決定する。
【０３１６】
制御部３０３は、上位層処理部３０１からの制御情報に基づいて、受信部３０５、および送信部３０７の制御を行なう制御信号を生成する。制御部３０３は、生成した制御信号を受信部３０５、および送信部３０７に出力して受信部３０５、および送信部３０７の制御を行なう。
【０３１７】
受信部３０５は、制御部３０３から入力された制御信号に従って、送受信アンテナ部３０９を介して端末装置１から受信した受信信号を分離、復調、復号し、復号した情報を上位層処理部３０１に出力する。無線受信部３０５７は、送受信アンテナ部３０９を介して受信された上りリンクの信号を、直交復調によりベースバンド信号に変換し（ダウンコンバート: down covert）、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。
【０３１８】
無線受信部３０５７は、変換したディジタル信号からＣＰ（Cyclic Prefix）に相当する部分を除去する。無線受信部３０５７は、ＣＰを除去した信号に対して高速フーリエ変換（Fast Fourier Transform: FFT）を行い、周波数領域の信号を抽出し多重分離部３０５５に出力する。
【０３１９】
多重分離部１０５５は、無線受信部３０５７から入力された信号をＰＵＣＣＨ、ＰＵＳＣＨ、上りリンク参照信号などの信号に分離する。尚、この分離は、予め基地局装置３が無線リソース制御部３０１１で決定し、各端末装置１に通知した上りリンクグラントに含まれる無線リソースの割り当て情報に基づいて行なわれる。また、多重分離部３０５５は、チャネル測定部３０５９から入力された伝搬路の推定値から、ＰＵＣＣＨとＰＵＳＣＨの伝搬路の補償を行なう。また、多重分離部３０５５は、分離した上りリンク参照信号をチャネル測定部３０５９に出力する。
【０３２０】
復調部３０５３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれぞれに対して、ＢＰＳＫ（Binary Phase Shift Keying）、ＱＰＳＫ、１６ＱＡＭ、６４ＱＡＭ等の予め定められた、または自装置が端末装置１各々に上りリンクグラントで予め通知した変調方式を用いて受信信号の復調を行なう。復調部３０５３は、端末装置１各々に上りリンクグラントで予め通知した空間多重される系列の数と、この系列に対して行なうプリコーディングを指示する情報に基づいて、ＭＩＭＯ  ＳＭを用いることにより同一のＰＵＳＣＨで送信された複数の上りリンクデータの変調シンボルを分離する。
【０３２１】
復号化部３０５１は、復調されたＰＵＣＣＨとＰＵＳＣＨの符号化ビットを、予め定められた符号化方式の、予め定められた、又は自装置が端末装置１に上りリンクグラントで予め通知した符号化率で復号を行ない、復号した上りリンクデータと、上りリンク制御情報を上位層処理部１０１へ出力する。ＰＵＳＣＨが再送信の場合は、復号化部３０５１は、上位層処理部３０１から入力されるＨＡＲＱバッファに保持している符号化ビットと、復調された符号化ビットを用いて復号を行なう。チャネル測定部３０９は、多重分離部３０５５から入力された上りリンク参照信号から伝搬路の推定値、チャネルの品質などを測定し、多重分離部３０５５および上位層処理部３０１に出力する。
【０３２２】
送信部３０７は、制御部３０３から入力された制御信号に従って、下りリンク参照信号を生成し、上位層処理部３０１から入力されたＨＡＲＱインディケータ、下りリンク制御情報、下りリンクデータを符号化、および変調し、ＰＨＩＣＨ、ＰＤＣＣＨ、ＥＰＤＣＣＨ、ＰＤＳＣＨ、および下りリンク参照信号を多重して、送受信アンテナ部３０９を介して端末装置１に信号を送信する。
【０３２３】
符号化部３０７１は、上位層処理部３０１から入力されたＨＡＲＱインディケータ、下りリンク制御情報、および下りリンクデータを、ブロック符号化、畳込み符号化、ターボ符号化等の予め定められた符号化方式を用いて符号化を行なう、または無線リソース制御部３０１１が決定した符号化方式を用いて符号化を行なう。変調部３０７３は、符号化部３０７１から入力された符号化ビットをＢＰＳＫ、ＱＰＳＫ、１６ＱＡＭ、６４ＱＡＭ等の予め定められた、または無線リソース制御部３０１１が決定した変調方式で変調する。
【０３２４】
下りリンク参照信号生成部３０７９は、基地局装置３を識別するための物理レイヤセル識別子（ＰＣＩ）などを基に予め定められた規則で求まる、端末装置１が既知の系列を下りリンク参照信号として生成する。多重部３０７５は、変調された各チャネルの変調シンボルと生成された下りリンク参照信号を多重する。つまり、多重部３０７５は、変調された各チャネルの変調シンボルと生成された下りリンク参照信号をリソースエレメントに配置する。
【０３２５】
無線送信部３０７７は、多重された変調シンボルなどを逆高速フーリエ変換（Inverse Fast Fourier Transform: IFFT）して、ＯＦＤＭシンボルを生成し、生成したＯＦＤＭシンボルにＣＰを付加し、ベースバンドのディジタル信号を生成し、ベースバンドのディジタル信号をアナログ信号に変換し、ローパスフィルタにより余分な周波数成分を除去し、搬送波周波数にアップコンバート（up convert）し、電力増幅し、送受信アンテナ部３０９に出力して送信する。
【０３２６】
より具体的には、本実施形態の端末装置１は、上位層の第１の信号に基づいて、第１のＵＬ−ＤＬ設定をセットし、上位層の第２の信号に基づいて、周期Ｔとオフセットｋに対応する設定インデックスをセットする設定部１０１１と、(10・nf+n-k) mod T=0を満たすサブフレームで、第２のＵＬ−ＤＬ設定を示す情報を含むＤＣＩフォーマット５をモニタする受信部１０５と、を備え、前記ｎｆは、無線フレームインデックス（ＳＦＮ）であり、前記ｎは、無線フレーム内のサブフレームインデックスであり、サブフレーム｛m・T, m・T+1,...,(m+1)・T-1｝で検出した前記ＤＣＩフォーマット５に含まれる前記第２のＵＬ−ＤＬ設定を示す情報によって示される第２のＵＬ−ＤＬ設定の有効期間は、前記サブフレーム｛m・T, m・T+1,...,(m+1)・T-1｝またはサブフレーム{(m+1)・T, (m+1)・T+1,...,(m+2)・T-1}であり、前記設定インデックスが第１の値である場合、前記有効期間は、前記サブフレーム｛m・T, m・T+1,...,(m+1)・T-1｝であり、前記設定インデックスが第２の値である場合、前記有効期間は、前記サブフレーム{(m+1)・T, (m+1)・T+1,...,(m+2)・T-1}であってもよい。
【０３２７】
第１のＵＬ−ＤＬ設定は、ＵＬ参照ＵＬ−ＤＬ設定またはＤＬ参照ＵＬ−ＤＬ設定である。
【０３２８】
尚、前記設定インデックスが第１の値である場合、前記オフセットｋは、０と１の両方、または、いずれか一方であり、前記設定インデックスが第２の値である場合、前記オフセットｋは、２と同じ、または、２より大きい値を少なくとも含んでもよい。
【０３２９】
尚、前記設定インデックスが第１の値である場合、前記オフセットｋは、０と１の両方、または、いずれか一方を少なくとも含み、前記設定インデックスが第２の値である場合、前記オフセットｋは、０と１を含まなくてもよい。
【０３３０】
前記設定インデックスが第３の値である場合、前記周期Ｔは第１の周期であり、前記オフセットｋは｛0+10・(j-1), 1+10・(j-1), 5+10・(j-1), 6+10・(j-1)｝であり、ｊ＝1,2,…, (T/10)は、前記周期Ｔに基づいて与えられてもよい。
【０３３１】
前記設定インデックスが第４の値である場合、前記周期Ｔは第２の周期であり、前記オフセットｋは｛0+10・(j-1), 1+10・(j-1), 5+10・(j-1), 6+10・(j-1)｝であってもよい。
【０３３２】
前記設定インデックスが第３の値または第４の値である場合、前記有効期間は、前記サブフレーム{(m+1)・T, (m+1)・T+1,...,(m+2)・T-1}であってもよい。前記周期Ｔは、１０の整数倍であってもよい。
【０３３３】
前記受信部１０５は、前記サブフレーム｛m・T, m・T+1,...,(m+1)・T-1｝で前記ＤＣＩフォーマット５を検出した場合、前記有効期間中は、前記第２のＵＬ−ＤＬ設定に基づいて、Ｃ−ＲＮＴＩによってスクランブルされたＣＲＣパリティビットが付加された第２のＤＣＩフォーマット（下りリンクアサインメント、および／または、上りリンクグラント）をモニタしてもよい。
【０３３４】
前記受信部１０５は、前記サブフレーム｛m・T, m・T+1,...,(m+1)・T-1｝で前記ＤＣＩフォーマット５を検出しなかった場合、前記有効期間中は、前記第１のＵＬ−ＤＬ設定に基づいて、Ｃ−ＲＮＴＩによってスクランブルされたＣＲＣパリティビットが付加された第２のＤＣＩフォーマット（下りリンクアサインメント、および／または、上りリンクグラント）をモニタしてもよい。
【０３３５】
また、本実施形態の端末装置は、上位層の第１の信号に基づいて、第１のＵＬ−ＤＬ設定をセットし、上位層の第２の信号に基づいて、周期Ｔとオフセットｋに対応するインデックスをセットする設定部と、プライマリーセルのコモンサーチスペースにおいて(10・nf+n-k) mod T=0を満たすサブフレームで、ＤＣＩフォーマット５をモニタする受信部と、を備え、前記ｎｆは、無線フレームインデックス（ＳＦＮ）であり、前記ｎは、無線フレーム内のサブフレームインデックスであり、前記ＤＣＩフォーマット５は、前記プライマリーセルに対する第２のＵＬ−ＤＬ設定を示す情報、および、セカンダリーセルに対する第２のＵＬ−ＤＬ設定を示す情報を含み、あるサブフレーム｛m・T, m・T+1,...,(m+1)・T-1｝で検出した前記ＤＣＩフォーマット５に含まれる前記プライマリーセルに対する第２のＵＬ−ＤＬ設定を示す情報、および、前記セカンダリーセルに対する第２のＵＬ−ＤＬ設定を示す情報のそれぞれによって示される、２つの第２のＵＬ−ＤＬ設定の有効期間は同じであってもよい。
【０３３６】
また、本実施形態の端末装置は、少なくとも１つのサービングセルから構成されるセルグループiのそれぞれに対して、周期Ｔｉとオフセットｋｉに対応するインデックスをセットする設定部と、前記セルグループを構成する少なくとも１つのサービングセルのうち１つのサービングセルにおいて、(10・nf+n-ki) mod T=0を満たすサブフレームで、ＤＣＩフォーマット５をモニタする受信部と、を備え、前記ｎｆは、無線フレームインデックス（ＳＦＮ）であり、前記ｎは、無線フレーム内のサブフレームインデックスであり、あるセルグループで送信される前記ＤＣＩフォーマット５は、前記あるセルグループと同じセルグループを構成する少なくとも１つのサービングセルのそれぞれに対するＵＬ−ＤＬ設定を示す情報を含み、前記セルグループiのサブフレーム｛m・Ti, m・Ti+1,...,(m+1)・Ti-1｝で検出した前記ＤＣＩフォーマット５に含まれる少なくとも１つの前記ＵＬ−ＤＬ設定を示す情報のそれぞれによって示される少なくとも１つのＵＬ−ＤＬ設定の有効期間は同じであってもよい。
【０３３７】
より具体的には、本実施形態の基地国装置３は、上位層の第１の信号を介して、第１のＵＬ−ＤＬ設定を前記端末装置に対してセットし、上位層の第２の信号を介して、周期Ｔとオフセットｋに対応する設定インデックスを前記端末装置に対してセットする設定部と、 (10・nf+n-k) mod T=0を満たすサブフレームで、第２のＵＬ−ＤＬ設定を示す情報を含むＤＣＩフォーマット５を前記端末装置に送信する送信部と、を備え、前記ｎｆは、無線フレームインデックス（ＳＦＮ）であり、前記ｎは、無線フレーム内のサブフレームインデックスであり、サブフレーム｛m・T, m・T+1,...,(m+1)・T-1｝で送信した前記ＤＣＩフォーマット５に含まれる前記第２のＵＬ−ＤＬ設定を示す情報によって示される第２のＵＬ−ＤＬ設定の有効期間は、前記サブフレーム｛m・T, m・T+1,...,(m+1)・T-1｝またはサブフレーム{(m+1)・T, (m+1)・T+1,...,(m+2)・T-1}であり、前記設定インデックスが第１の値である場合、前記有効期間は、前記サブフレーム｛m・T, m・T+1,...,(m+1)・T-1｝であり、前記設定インデックスが第２の値である場合、前記有効期間は、前記サブフレーム{(m+1)・T, (m+1)・T+1,...,(m+2)・T-1}であってもよい。
【０３３８】
前記送信部３０７は、前記サブフレーム｛m・T, m・T+1,...,(m+1)・T-1｝で前記ＤＣＩフォーマット５を送信した場合、前記有効期間中は、前記第２のＵＬ−ＤＬ設定に基づいて、Ｃ−ＲＮＴＩによってスクランブルされたＣＲＣパリティビットが付加された第２のＤＣＩフォーマット（下りリンクアサインメント、および／または、上りリンクグラント）を送信してもよい。
【０３３９】
前記送信部３０７は、前記サブフレーム｛m・T, m・T+1,...,(m+1)・T-1｝で前記ＤＣＩフォーマット５を送信しなかった場合、前記有効期間中は、前記第１のＵＬ−ＤＬ設定に基づいて、Ｃ−ＲＮＴＩによってスクランブルされたＣＲＣパリティビットが付加された第２のＤＣＩフォーマット（下りリンクアサインメント、および／または、上りリンクグラント）を送信してもよい。
【０３４０】
また、本実施形態の基地局装置は、上位層の第１の信号を介して、第１のＵＬ−ＤＬ設定を前記端末装置に対してセットし、上位層の第２の信号を介して、周期Ｔとオフセットｋに対応するインデックスを前記端末装置に対してセットする設定部と、プライマリーセルのコモンサーチスペースにおいて(10・nf+n-k) mod T=0を満たすサブフレームで、ＤＣＩフォーマット５を前記端末装置に対して送信する送信部と、を備え、前記ｎｆは、無線フレームインデックス（ＳＦＮ）であり、前記ｎは、無線フレーム内のサブフレームインデックスであり、前記ＤＣＩフォーマット５は、前記プライマリーセルに対する第２のＵＬ−ＤＬ設定を示す情報、および、セカンダリーセルに対する第２のＵＬ−ＤＬ設定を示す情報を含み、あるサブフレーム｛m・T, m・T+1,...,(m+1)・T-1｝で送信した前記ＤＣＩフォーマット５に含まれる前記プライマリーセルに対する第２のＵＬ−ＤＬ設定を示す情報、および、前記セカンダリーセルに対する第２のＵＬ−ＤＬ設定を示す情報のそれぞれによって示される、２つの第２のＵＬ−ＤＬ設定の有効期間は同じであってもよい。
【０３４１】
また、本実施形態の基地局装置は、少なくとも１つのサービングセルから構成されるセルグループiのそれぞれに対して、周期Ｔｉとオフセットｋｉに対応するインデックスを前記端末装置にセットする設定部と、前記セルグループを構成する少なくとも１つのサービングセルのうち１つのサービングセルにおいて、(10・nf+n-ki) mod T=0を満たすサブフレームで、ＤＣＩフォーマット５を送信する送信部と、を備え、前記ｎｆは、無線フレームインデックス（ＳＦＮ）であり、前記ｎは、無線フレーム内のサブフレームインデックスであり、あるセルグループで送信される前記ＤＣＩフォーマット５は、前記あるセルグループと同じセルグループを構成する少なくとも１つのサービングセルのそれぞれに対するＵＬ−ＤＬ設定を示す情報を含み、前記セルグループiのサブフレーム｛m・Ti, m・Ti+1,...,(m+1)・Ti-1｝で検出した前記ＤＣＩフォーマット５に含まれる少なくとも１つの前記ＵＬ−ＤＬ設定を示す情報のそれぞれによって示される少なくとも１つのＵＬ−ＤＬ設定の有効期間は同じである。
【０３４２】
これにより、端末装置が、基地局装置と効率的に通信することができる。
【０３４３】
また、本願発明は、以下のように表すこともできる。
【０３４４】
（１）本発明の端末装置は、本発明の端末装置は、基地局装置と通信する端末装置であって、上位層の信号に基づいて、第１のＵＬ−ＤＬ設定をセットし、上位層の信号に基づいて、周期Ｔとオフセットｋに対応する設定インデックスをセットする設定部と、(10・nf+n-k) mod T=0を満たすサブフレームで、第２のＵＬ−ＤＬ設定を示す情報を含むＤＣＩフォーマットをモニタする受信部と、を備え、前記ｎｆは、無線フレームインデックス（ＳＦＮ）であり、前記ｎは、無線フレーム内のサブフレームインデックスであり、サブフレーム｛m・T, m・T+1,...,(m+1)・T-1｝で検出した前記ＤＣＩフォーマットに含まれる前記第２のＵＬ−ＤＬ設定を示す情報によって示される第２のＵＬ−ＤＬ設定の有効期間は、前記サブフレーム｛m・T, m・T+1,...,(m+1)・T-1｝またはサブフレーム{(m+1)・T, (m+1)・T+1,...,(m+2)・T-1}であり、前記設定インデックスが第１の値である場合、前記有効期間は、前記サブフレーム｛m・T, m・T+1,...,(m+1)・T-1｝であり、前記設定インデックスが第２の値である場合、前記有効期間は、前記サブフレーム{(m+1)・T, (m+1)・T+1,...,(m+2)・T-1}である。
【０３４５】
（２）また、本発明の基地局装置は、端末装置と通信する基地局装置であって、上位層の信号を介して、第１のＵＬ−ＤＬ設定を前記端末装置に対してセットし、上位層の信号を介して、周期Ｔとオフセットｋに対応する設定インデックスを前記端末装置に対してセットする設定部と、 (10・nf+n-k) mod T=0を満たすサブフレームで、第２のＵＬ−ＤＬ設定を示す情報を含むＤＣＩフォーマットを前記端末装置に送信する送信部と、を備え、前記ｎｆは、無線フレームインデックス（ＳＦＮ）であり、前記ｎは、無線フレーム内のサブフレームインデックスであり、サブフレーム｛m・T, m・T+1,...,(m+1)・T-1｝で送信した前記ＤＣＩフォーマットに含まれる前記第２のＵＬ−ＤＬ設定を示す情報によって示される第２のＵＬ−ＤＬ設定の有効期間は、前記サブフレーム｛m・T, m・T+1,...,(m+1)・T-1｝またはサブフレーム{(m+1)・T, (m+1)・T+1,...,(m+2)・T-1}であり、前記設定インデックスが第１の値である場合、前記有効期間は、前記サブフレーム｛m・T, m・T+1,...,(m+1)・T-1｝であり、前記設定インデックスが第２の値である場合、前記有効期間は、前記サブフレーム{(m+1)・T, (m+1)・T+1,...,(m+2)・T-1}である。
【０３４６】
（３）また、本発明の通信方法は、基地局装置と通信する端末装置に用いられる通信方法であって、上位層の信号に基づいて、第１のＵＬ−ＤＬ設定をセットし、上位層の信号に基づいて、周期Ｔとオフセットｋに対応する設定インデックスをセットし、 (10・nf+n-k) mod T=0を満たすサブフレームで、第２のＵＬ−ＤＬ設定を示す情報を含むＤＣＩフォーマットをモニタし、前記ｎｆは、無線フレームインデックス（ＳＦＮ）であり、前記ｎは、無線フレーム内のサブフレームインデックスであり、サブフレーム｛m・T, m・T+1,...,(m+1)・T-1｝で検出した前記ＤＣＩフォーマットに含まれる前記第２のＵＬ−ＤＬ設定を示す情報によって示される第２のＵＬ−ＤＬ設定の有効期間は、前記サブフレーム｛m・T, m・T+1,...,(m+1)・T-1｝またはサブフレーム{(m+1)・T, (m+1)・T+1,...,(m+2)・T-1}であり、前記設定インデックスが第１の値である場合、前記有効期間は、前記サブフレーム｛m・T, m・T+1,...,(m+1)・T-1｝であり、前記設定インデックスが第２の値である場合、前記有効期間は、前記サブフレーム{(m+1)・T, (m+1)・T+1,...,(m+2)・T-1}である。
【０３４７】
（４）また、本発明の通信方法は、端末装置と通信する基地局装置に用いられる通信方法であって、上位層の信号を介して、第１のＵＬ−ＤＬ設定を前記端末装置に対してセットし、上位層の信号を介して、周期Ｔとオフセットｋに対応する設定インデックスを前記端末装置に対してセットし、 (10・nf+n-k) mod T=0を満たすサブフレームで、第２のＵＬ−ＤＬ設定を示す情報を含むＤＣＩフォーマットを前記端末装置に送信し、前記ｎｆは、無線フレームインデックス（ＳＦＮ）であり、前記ｎは、無線フレーム内のサブフレームインデックスであり、サブフレーム｛m・T, m・T+1,...,(m+1)・T-1｝で送信した前記ＤＣＩフォーマットに含まれる前記第２のＵＬ−ＤＬ設定を示す情報によって示される第２のＵＬ−ＤＬ設定の有効期間は、前記サブフレーム｛m・T, m・T+1,...,(m+1)・T-1｝またはサブフレーム{(m+1)・T, (m+1)・T+1,...,(m+2)・T-1}であり、前記設定インデックスが第１の値である場合、前記有効期間は、前記サブフレーム｛m・T, m・T+1,...,(m+1)・T-1｝であり、前記設定インデックスが第２の値である場合、前記有効期間は、前記サブフレーム{(m+1)・T, (m+1)・T+1,...,(m+2)・T-1}である。
【０３４８】
（５）また、本発明の集積回路は、基地局装置と通信する端末装置に実装される集積回路であって、上位層の信号に基づいて、第１のＵＬ−ＤＬ設定をセットする機能と、上位層の信号に基づいて、周期Ｔとオフセットｋに対応する設定インデックスをセットする機能と、 (10・nf+n-k) mod T=0を満たすサブフレームで、第２のＵＬ−ＤＬ設定を示す情報を含むＤＣＩフォーマットをモニタする機能と、を含む一連の機能を前記端末装置に発揮させ、前記ｎｆは、無線フレームインデックス（ＳＦＮ）であり、前記ｎは、無線フレーム内のサブフレームインデックスであり、サブフレーム｛m・T, m・T+1,...,(m+1)・T-1｝で検出した前記ＤＣＩフォーマットに含まれる前記第２のＵＬ−ＤＬ設定を示す情報によって示される第２のＵＬ−ＤＬ設定の有効期間は、前記サブフレーム｛m・T, m・T+1,...,(m+1)・T-1｝またはサブフレーム{(m+1)・T, (m+1)・T+1,...,(m+2)・T-1}であり、前記設定インデックスが第１の値である場合、前記有効期間は、前記サブフレーム｛m・T, m・T+1,...,(m+1)・T-1｝であり、前記設定インデックスが第２の値である場合、前記有効期間は、前記サブフレーム{(m+1)・T, (m+1)・T+1,...,(m+2)・T-1}である。
【０３４９】
（６）また、本発明の集積回路は、端末装置と通信する基地局装置に実装される集積回路であって、上位層の信号を介して、第１のＵＬ−ＤＬ設定を前記端末装置に対してセットする機能と、上位層の信号を介して、周期Ｔとオフセットｋに対応する設定インデックスを前記端末装置に対してセットする機能と、 (10・nf+n-k) mod T=0を満たすサブフレームで、第２のＵＬ−ＤＬ設定を示す情報を含むＤＣＩフォーマットを前記端末装置に送信する機能と、を含む一連の機能を前記基地局装置に発揮させ、前記ｎｆは、無線フレームインデックス（ＳＦＮ）であり、前記ｎは、無線フレーム内のサブフレームインデックスであり、サブフレーム｛m・T, m・T+1,...,(m+1)・T-1｝で送信した前記ＤＣＩフォーマットに含まれる前記第２のＵＬ−ＤＬ設定を示す情報によって示される第２のＵＬ−ＤＬ設定の有効期間は、前記サブフレーム｛m・T, m・T+1,...,(m+1)・T-1｝またはサブフレーム{(m+1)・T, (m+1)・T+1,...,(m+2)・T-1}であり、前記設定インデックスが第１の値である場合、前記有効期間は、前記サブフレーム｛m・T, m・T+1,...,(m+1)・T-1｝であり、前記設定インデックスが第２の値である場合、前記有効期間は、前記サブフレーム{(m+1)・T, (m+1)・T+1,...,(m+2)・T-1}である。
【０３５０】
本発明に関わる基地局装置３、および端末装置１で動作するプログラムは、本発明に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行われる。
【０３５１】
尚、上述した実施形態における端末装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０３５２】
尚、ここでいう「コンピュータシステム」とは、端末装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０３５３】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０３５４】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０３５５】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の一部または全部を有してもよい。
【０３５６】
また、上述した実施形態における端末装置１、基地局装置３の一部、又は全部を典型的には集積回路であるＬＳＩとして実現してもよいし、チップセットとして実現してもよい。端末装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０３５７】
また、上述した実施形態では、通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０３５８】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０３５９】
１（１Ａ、１Ｂ、１Ｃ）  端末装置
３  基地局装置
１０１  上位層処理部
１０３  制御部
１０５  受信部
１０７  送信部
３０１  上位層処理部
３０３  制御部
３０５  受信部
３０７  送信部
１０１１  無線リソース制御部
１０１３  スケジューリング情報解釈部
３０１１  無線リソース制御部
３０１３  スケジューリング部
【図１】
2015079972.tif 000003
【図２】
2015079972.tif 000004
【図３】
2015079972.tif 000005
【図４】
2015079972.tif 000006
【図５】
2015079972.tif 000007
【図６】
2015079972.tif 000008
【図７】
2015079972.tif 000009
【図８】
2015079972.tif 000010
【図９】
2015079972.tif 000011
【図１０】
2015079972.tif 000012
【図１１】
2015079972.tif 000013
【図１２】
2015079972.tif 000014
【図１３】
2015079972.tif 000015
【図１４】
2015079972.tif 000016
【図１５】
2015079972.tif 000017
【図１６】
2015079972.tif 000018
【図１７】
2015079972.tif 000019
【図１８】
2015079972.tif 000020
【図１９】
2015079972.tif 000021
【図２０】
2015079972.tif 000022
【図２１】
2015079972.tif 000023
【図２２】
2015079972.tif 000024
【図２３】
2015079972.tif 000025
【図２４】
2015079972.tif 000026
【図２５】
2015079972.tif 000027
【図２６】
2015079972.tif 000028
【国際調査報告】
2015079972.tif 000029
2015079972.tif 000030
2015079972.tif 000031